(57)【特許請求の範囲】
【請求項１】
干渉協調装置で実行される干渉協調方法であって、
２つの周波数帯域でのユーザーデバイスＵＥのアップリンク／ダウンリンク伝送に機器内干渉が存在するか否かを判断するステップと、
２つの周波数帯域での前記ＵＥのアップリンク／ダウンリンク伝送に機器内干渉が存在すると確定されると、前記ＵＥが前記２つの周波数帯域のうちの少なくとも１つの周波数帯域でのアップリンク伝送を送信するようにスケジューリングする時間区間において、そのうちの１つの周波数帯域でのダウンリンク伝送のスケジューリング情報を前記ＵＥに送信することを停止し、または、ブランクサブフレームまたはオールモーストブランクサブフレームを前記ＵＥに送信するステップと、または、
そのうちの１つの周波数帯域でのダウンリンク伝送のスケジューリング情報を前記ＵＥに送信する時間区間において、前記２つの周波数帯域のうちの少なくとも１つの周波数帯域でのアップリンク伝送のスケジューリング情報を前記ＵＥに送信することを停止するステップと、を含み、
前記干渉協調方法は、
２つの周波数帯域でのＵＥのアップリンク／ダウンリンク伝送に機器内干渉が存在するか否かを判断する前に、前記ＵＥが報告した干渉許容能力情報を受信するステップをさらに含み、
２つの周波数帯域でのＵＥのアップリンク／ダウンリンク伝送に機器内干渉が存在するか否かを判断するステップは、
前記干渉許容能力情報と前記ＵＥがネットワークにアクセスした情報に基づいて、２つの周波数帯域でのＵＥのアップリンク／ダウンリンク伝送に機器内干渉が存在するか否かを判断するステップを含む、ことを特徴とする干渉協調方法。
【請求項２】
２つの周波数帯域での前記ＵＥのアップリンク／ダウンリンク伝送に機器内干渉が存在すると確定されると、前記ＵＥが前記２つの周波数帯域のうちの少なくとも１つの周波数帯域でのアップリンク伝送を送信するようにスケジューリングする時間区間において、そのうちの１つの周波数帯域でのダウンリンク伝送のスケジューリング情報を前記ＵＥに送信することを停止するステップは、
第１の周波数帯域での前記ＵＥのアップリンク伝送と第２の周波数帯域での前記ＵＥのダウンリンク伝送に高調波干渉が存在すると確定されると、前記ＵＥが前記第１の周波数帯域でのアップリンク伝送を送信するようにスケジューリングする時間区間において、前記第２の周波数帯域でのダウンリンク伝送のスケジューリング情報を前記ＵＥに送信することを停止するステップを含むことを特徴とする請求項１に記載の干渉協調方法。
【請求項３】
そのうちの１つの周波数帯域でのダウンリンク伝送のスケジューリング情報を前記ＵＥに送信する時間区間において、前記２つの周波数帯域のうちの少なくとも１つの周波数帯域でのアップリンク伝送のスケジューリング情報を前記ＵＥに送信することを停止するステップは、
前記第２の周波数帯域でのダウンリンク伝送のスケジューリング情報を前記ＵＥに送信する時間区間において、前記第１の周波数帯域でのアップリンク伝送のスケジューリング情報を前記ＵＥに送信することを停止するステップを含むことを特徴とする請求項２に記載の干渉協調方法。
【請求項４】
２つの周波数帯域での前記ＵＥのアップリンク／ダウンリンク伝送に機器内干渉が存在すると確定されると、前記ＵＥが前記２つの周波数帯域のうちの少なくとも１つの周波数帯域でのアップリンク伝送を送信するようにスケジューリングする時間区間において、そのうちの１つの周波数帯域でのダウンリンク伝送のスケジューリング情報を前記ＵＥに送信することを停止するステップは、
同時に前記第１の周波数帯域と前記第２の周波数帯域での前記ＵＥのアップリンク伝送と前記第１の周波数帯域での前記ＵＥのダウンリンク伝送に相互変調干渉が存在すると確定されると、前記ＵＥが前記第１の周波数帯域と前記第２の周波数帯域でのアップリンク伝送を同時に送信するようにスケジューリングする時間区間において、前記第１の周波数帯域でのダウンリンク伝送のスケジューリング情報を前記ＵＥに送信することを停止するステップを含むことを特徴とする請求項１に記載の干渉協調方法。
【請求項５】
そのうちの１つの周波数帯域でのダウンリンク伝送のスケジューリング情報を前記ＵＥに送信する時間区間において、前記２つの周波数帯域のうちの少なくとも１つの周波数帯域でのアップリンク伝送のスケジューリング情報を前記ＵＥに送信することを停止するステップは、
第１の周波数帯域でのダウンリンク伝送のスケジューリング情報を前記ＵＥに送信する時間区間において、前記ＵＥが前記第１の周波数帯域と前記第２の周波数帯域でのアップリンク伝送を同時に送信するためのスケジューリング情報を前記ＵＥに送信することを停止するステップを含むことを特徴とする請求項４に記載の干渉協調方法。
【請求項６】
前記干渉協調方法は、
第１の周波数帯域での前記ＵＥのアップリンク伝送と第２の周波数帯域での前記ＵＥのダウンリンク伝送に高調波干渉が存在すると確定され、または、前記第１の周波数帯域と前記第２の周波数帯域での前記ＵＥのアップリンク伝送と前記第１の周波数帯域での前記ＵＥのダウンリンク伝送に同時に相互変調干渉が存在すると確定された後、前記ＵＥが干渉協調機能を開くように指示するための配置情報を前記ＵＥに送信するステップをさらに含むことを特徴とする請求項２ないし請求項５のいずれか１項に記載の干渉協調方法。
【請求項７】
前記第２の周波数帯域でのダウンリンク伝送のスケジューリング情報を前記ＵＥに送信する時間区間において、前記第１の周波数帯域でのアップリンク伝送のスケジューリング情報を前記ＵＥに送信することを停止するステップは、
前記ＵＥから送信された前記第１の周波数帯域でのアップリンク伝送のスケジューリング要求を受信し、前記第２の周波数帯域でのダウンリンク伝送のスケジューリング情報を前記ＵＥに送信した後、前記第１の周波数帯域でのアップリンク伝送のスケジューリング情報を前記ＵＥに送信するステップを含むことを特徴とする請求項６に記載の干渉協調方法。
【請求項８】
第１の周波数帯域でのダウンリンク伝送のスケジューリング情報を前記ＵＥに送信する時間区間において、前記ＵＥが前記第１の周波数帯域と前記第２の周波数帯域でのアップリンク伝送を同時に送信するためのスケジューリング情報を前記ＵＥに送信することを停止するステップは、
前記ＵＥから送信された前記第１の周波数帯域と前記第２の周波数帯域でのアップリンク伝送のスケジューリング要求を受信し、前記第１の周波数帯域でのダウンリンク伝送のスケジューリング情報を前記ＵＥに送信した後、前記第１の周波数帯域と前記第２の周波数帯域でのアップリンク伝送のスケジューリング情報を前記ＵＥに送信するステップを含むことを特徴とする請求項６に記載の干渉協調方法。
【請求項９】
前記第１の周波数帯域は、ロング・ターム・エボリューション（ＬＴＥ）の周波数帯域に属し、前記第２の周波数帯域は、ニューラジオ（ＮＲ）の周波数帯域に属し、または、
前記第１の周波数帯域と前記第２の周波数帯域は、ニューラジオ（ＮＲ）のうち２つの周波数帯域に属することを特徴とする請求項２ないし請求項５のいずれか１項に記載の干渉協調方法。
【請求項１０】
前記配置情報は、前記基地局から送信された放送シグナリング、上位層シグナリングまたは物理層制御シグナリングに含まれることを特徴とする請求項６に記載の干渉協調方法。
【請求項１１】
干渉協調装置で実行される干渉協調方法であって、
基地局から送信された配置情報を受信するステップと、
前記配置情報に基づいて干渉協調機能を開くステップと、を含み、
前記配置情報は、前記基地局が第１の周波数帯域での前記ＵＥのアップリンク伝送と第２の周波数帯域での前記ＵＥのダウンリンク伝送に高調波干渉が存在し、または、前記第１の周波数帯域と前記第２の周波数帯域での前記ＵＥのアップリンク伝送と前記第１の周波数帯域での前記ＵＥのダウンリンク伝送に同時に相互変調干渉が存在すると確定した後送信されるものであり、
前記干渉協調方法は、
前記基地局から送信された配置情報を受信する前、前記ＵＥの干渉許容能力情報を前記基地局に報告して、前記基地局が前記干渉許容能力情報と前記ＵＥがアクセスしたネットワークの情報に基づいて、前記高調波干渉又は前記相互変調干渉が存在するか否かを判断するステップをさらに含む、ことを特徴とする干渉協調方法。
【請求項１２】
前記干渉協調方法は、
前記配置情報に基づいて干渉協調機能を開いた後、前記基地局から送信された前記第２の周波数帯域でのダウンリンク伝送のスケジューリング情報を受信する時間区間において、前記第１の周波数帯域でのアップリンク伝送のスケジューリング要求を前記基地局に送信することを停止するステップをさらに含むことを特徴とする請求項１１に記載の干渉協調方法。
【請求項１３】
前記干渉協調方法は、
前記配置情報に基づいて干渉協調機能を開いた後、前記基地局から送信された前記第１の周波数帯域でのダウンリンク伝送のスケジューリング情報を受信する時間区間において、前記第１の周波数帯域と前記第２の周波数帯域でのアップリンク伝送のスケジューリング要求を前記基地局に送信することを停止するステップをさらに含むことを特徴とする請求項１１に記載の干渉協調方法。
【請求項１４】
前記第１の周波数帯域は、ロング・ターム・エボリューション（ＬＴＥ）の周波数帯域に属し、前記第２の周波数帯域は、ニューラジオ（ＮＲ）の周波数帯域に属し、または、
前記第１の周波数帯域と前記第２の周波数帯域は、ニューラジオ（ＮＲ）のうち２つの周波数帯域に属することを特徴とする請求項１１に記載の干渉協調方法。
【請求項１５】
前記配置情報は、前記基地局から送信された放送シグナリング、上位層シグナリングまたは物理層制御シグナリングに含まれることを特徴とする請求項１１に記載の干渉協調方法。
【請求項１６】
２つの周波数帯域でのユーザーデバイスＵＥのアップリンク／ダウンリンク伝送に機器内干渉が存在するか否かを判断するように構成される判断モジュールと、
前記判断モジュールが２つの周波数帯域での前記ＵＥのアップリンク／ダウンリンク伝送に機器内干渉が存在すると確定すると、前記ＵＥが前記２つの周波数帯域のうちの少なくとも１つの周波数帯域でのアップリンク伝送を送信するようにスケジューリングする時間区間において、そのうちの１つの周波数帯域でのダウンリンク伝送のスケジューリング情報を前記ＵＥに送信することを停止し、または、ブランクサブフレームまたはオールモーストブランクサブフレームを前記ＵＥに送信するように構成される第１の協調モジュールと、または、
前記判断モジュールが２つの周波数帯域での前記ＵＥのアップリンク／ダウンリンク伝送に機器内干渉が存在すると確定すると、そのうちの１つの周波数帯域でのダウンリンク伝送のスケジューリング情報を前記ＵＥに送信する時間区間において、前記２つの周波数帯域のうちの少なくとも１つの周波数帯域でのアップリンク伝送のスケジューリング情報を前記ＵＥに送信することを停止するように構成される第２の協調モジュールと、を含み、
前記判断モジュールが２つの周波数帯域でのＵＥのアップリンク／ダウンリンク伝送に機器内干渉が存在するか否かを判断する前に、前記ＵＥが報告した干渉許容能力情報を受信するように構成される受信モジュールをさらに含み、
前記判断モジュールは、前記干渉許容能力情報と前記ＵＥがネットワークにアクセスした情報に基づいて、２つの周波数帯域でのＵＥのアップリンク／ダウンリンク伝送に機器内干渉が存在するか否かを判断するように構成される、ことを特徴とする干渉協調装置。
【請求項１７】
前記第１の協調モジュールは、
第１の周波数帯域での前記ＵＥのアップリンク伝送と第２の周波数帯域での前記ＵＥのダウンリンク伝送に高調波干渉が存在すると確定されると、前記ＵＥが前記第１の周波数帯域でのアップリンク伝送を送信するようにスケジューリングする時間区間において、前記第２の周波数帯域でのダウンリンク伝送のスケジューリング情報を前記ＵＥに送信することを停止するように構成される第１の協調サブモジュールを含むことを特徴とする請求項１６に記載の干渉協調装置。
【請求項１８】
前記第２の協調モジュールは、
前記第２の周波数帯域でのダウンリンク伝送のスケジューリング情報を前記ＵＥに送信する時間区間において、前記第１の周波数帯域でのアップリンク伝送のスケジューリング情報を前記ＵＥに送信することを停止するように構成される第２の協調サブモジュールを含むことを特徴とする請求項１７に記載の干渉協調装置。
【請求項１９】
前記第１の協調モジュールは、
同時に前記第１の周波数帯域と前記第２の周波数帯域での前記ＵＥのアップリンク伝送と前記第１の周波数帯域での前記ＵＥのダウンリンク伝送に相互変調干渉が存在すると確定されると、前記ＵＥが前記第１の周波数帯域と前記第２の周波数帯域でのアップリンク伝送を同時に送信するようにスケジューリングする時間区間において、前記第１の周波数帯域でのダウンリンク伝送のスケジューリング情報を前記ＵＥに送信することを停止するように構成される第３の協調サブモジュールを含むことを特徴とする請求項１６に記載の干渉協調装置。
【請求項２０】
前記第２の協調モジュールは、
第１の周波数帯域でのダウンリンク伝送のスケジューリング情報を前記ＵＥに送信する時間区間において、前記ＵＥが前記第１の周波数帯域と前記第２の周波数帯域でのアップリンク伝送を同時に送信するためのスケジューリング情報を前記ＵＥに送信することを停止するように構成される第４の協調サブモジュールを含むことを特徴とする請求項１９に記載の干渉協調装置。
【請求項２１】
前記干渉協調装置は、
前記第１の協調サブモジュールが第１の周波数帯域での前記ＵＥのアップリンク伝送と第２の周波数帯域での前記ＵＥのダウンリンク伝送に高調波干渉が存在すると確定し、または、前記第３の協調サブモジュールが前記第１の周波数帯域と前記第２の周波数帯域での前記ＵＥのアップリンク伝送と前記第１の周波数帯域での前記ＵＥのダウンリンク伝送に同時に相互変調干渉が存在すると確定した後、前記ＵＥが干渉協調機能を開くように指示するための配置情報を前記ＵＥに送信するように構成される送信モジュールをさらに含むことを特徴とする請求項１７ないし請求項２０のいずれか１項に記載の干渉協調装置。
【請求項２２】
前記第２の協調サブモジュールは、前記ＵＥから送信された前記第１の周波数帯域でのアップリンク伝送のスケジューリング要求を受信し、前記第２の周波数帯域でのダウンリンク伝送のスケジューリング情報を前記ＵＥに送信した後、前記第１の周波数帯域でのアップリンク伝送のスケジューリング情報を前記ＵＥに送信するように構成されることを特徴とする請求項２１に記載の干渉協調装置。
【請求項２３】
第４の協調サブモジュールは、前記ＵＥから送信された前記第１の周波数帯域と前記第２の周波数帯域でのアップリンク伝送のスケジューリング要求を受信し、前記第１の周波数帯域でのダウンリンク伝送のスケジューリング情報を前記ＵＥに送信した後、前記第１の周波数帯域と前記第２の周波数帯域でのアップリンク伝送のスケジューリング情報を前記ＵＥに送信するように構成されることを特徴とする請求項２１に記載の干渉協調装置。
【請求項２４】
前記第１の周波数帯域は、ロング・ターム・エボリューション（ＬＴＥ）の周波数帯域に属し、前記第２の周波数帯域は、ニューラジオ（ＮＲ）の周波数帯域に属し、または、
前記第１の周波数帯域と前記第２の周波数帯域は、ニューラジオ（ＮＲ）のうち２つの周波数帯域に属することを特徴とする請求項１７ないし請求項２０のいずれか１項に記載の干渉協調装置。
【請求項２５】
前記配置情報は、前記基地局から送信された放送シグナリング、上位層シグナリングまたは物理層制御シグナリングに含まれることを特徴とする請求項１７に記載の干渉協調装置。
【請求項２６】
基地局から送信された配置情報を受信するように構成される受信モジュールと、
前記受信モジュールが受信した前記配置情報に基づいて干渉協調機能を開くように構成される開きモジュールと、を含み、
前記配置情報は、前記基地局が第１の周波数帯域での前記ＵＥのアップリンク伝送と第２の周波数帯域での前記ＵＥのダウンリンク伝送に高調波干渉が存在し、または、前記第１の周波数帯域と前記第２の周波数帯域での前記ＵＥのアップリンク伝送と前記第１の周波数帯域での前記ＵＥのダウンリンク伝送に同時に相互変調干渉が存在すると確定した後送信されるものであり、
前記受信モジュールが基地局から送信された配置情報を受信する前に、前記ＵＥの干渉許容能力情報を前記基地局に報告して、前記基地局が前記干渉許容能力情報と前記ＵＥがアクセスしたネットワークの情報に基づいて、前記高調波干渉または前記相互変調干渉が存在するか否かを判断するように構成される報告モジュールをさらに含む、ことを特徴とする干渉協調装置。
【請求項２７】
前記干渉協調装置は、
前記開きモジュールが前記配置情報に基づいて干渉協調機能を開いた後、前記基地局から送信された前記第２の周波数帯域でのダウンリンク伝送のスケジューリング情報を受信する時間区間において、前記第１の周波数帯でのアップリンク伝送のスケジューリング要求を前記基地局に送信することを停止するように構成される第１の協調モジュールをさらに含むことを特徴とする請求項２６に記載の干渉協調装置。
【請求項２８】
前記干渉協調装置は、
前記開きモジュールが前記配置情報に基づいて干渉協調機能を開いた後、前記基地局から送信された前記第１の周波数帯域でのダウンリンク伝送のスケジューリング情報を受信する時間区間において、前記第１の周波数帯域と上記第２の周波数帯域でのアップリンク伝送のスケジューリング要求を前記基地局に送信することを停止するように構成される第２の協調モジュールをさらに含むことを特徴とする請求項２６に記載の干渉協調装置。
【請求項２９】
前記第１の周波数帯域は、ロング・ターム・エボリューション（ＬＴＥ）の周波数帯域に属し、前記第２の周波数帯域は、ニューラジオ（ＮＲ）の周波数帯域に属し、または、
前記第１の周波数帯域と前記第２の周波数帯域は、ニューラジオ（ＮＲ）のうち２つの周波数帯域に属することを特徴とする請求項２６に記載の干渉協調装置。
【請求項３０】
前記配置情報は、前記基地局から送信された放送シグナリング、上位層シグナリングまたは物理層制御シグナリングに含まれることを特徴とする請求項２６に記載の干渉協調装置。
【請求項３１】
プロセッサーと、
プロセッサーで実行可能なコマンドを格納するメモリと、を含み、
前記プロセッサーは、
２つの周波数帯域でのユーザーデバイスＵＥのアップリンク／ダウンリンク伝送に機器内干渉が存在するか否かを判断し、
２つの周波数帯域での前記ＵＥのアップリンク／ダウンリンク伝送に機器内干渉が存在すると確定されると、前記ＵＥが前記２つの周波数帯域のうちの少なくとも１つの周波数帯域でのアップリンク伝送を送信するようにスケジューリングする時間区間において、そのうちの１つの周波数帯域でのダウンリンク伝送のスケジューリング情報を前記ＵＥに送信することを停止し、または、ブランクサブフレームまたはオールモーストブランクサブフレームを前記ＵＥに送信し、または、
そのうちの１つの周波数帯域でのダウンリンク伝送のスケジューリング情報を前記ＵＥに送信する時間区間において、前記２つの周波数帯域のうちの少なくとも１つの周波数帯域でのアップリンク伝送のスケジューリング情報を前記ＵＥに送信することを停止し、
２つの周波数帯域でのＵＥのアップリンク／ダウンリンク伝送に機器内干渉が存在するか否かを判断する前に、前記ＵＥが報告した干渉許容能力情報を受信し、
前記干渉許容能力情報と前記ＵＥがネットワークにアクセスした情報に基づいて、２つの周波数帯域でのＵＥのアップリンク／ダウンリンク伝送に機器内干渉が存在するか否かを判断するように構成されることを特徴とする基地局。
【請求項３２】
プロセッサーと
前記プロセッサーで実行可能なコマンドを格納するメモリと、を含み、
前記プロセッサーは、
基地局から送信された配置情報を受信し、
前記配置情報に基づいて干渉協調機能を開き、
前記基地局から送信された配置情報を受信する前、前記ＵＥの干渉許容能力情報を前記基地局に報告して、前記基地局が前記干渉許容能力情報と前記ＵＥがアクセスしたネットワークの情報に基づいて、前記高調波干渉又は前記相互変調干渉が存在するか否かを判断するように構成され、
前記配置情報は、前記基地局が第１の周波数帯域での前記ＵＥのアップリンク伝送と第２の周波数帯域での前記ＵＥのダウンリンク伝送に高調波干渉が存在し、または、前記第１の周波数帯域と前記第２の周波数帯域での前記ＵＥのアップリンク伝送と前記第１の周波数帯域での前記ＵＥのダウンリンク伝送に同時に相互変調干渉が存在すると確定した後送信されるものであることを特徴とするユーザーデバイス。
【請求項３３】
コンピュータプログラムが記録されるコンピュータ読み取り可能な記録媒体であって、
前記プログラムは、プロセッサーによって実行されると、請求項１ないし請求項１０のいずれか１項に記載の干渉協調方法のステップを実現することを特徴とするコンピュータ読み取り可能な記録媒体。
【請求項３４】
コンピュータプログラムが記録されるコンピュータ読み取り可能な記録媒体であって、
前記プログラムは、プロセッサーによって実行されると、請求項１１ないし請求項１５のいずれか１項に記載の干渉協調方法のステップを実現することを特徴とするコンピュータ読み取り可能な記録媒体。
【発明の詳細な説明】
【技術分野】
【０００１】
本発明は、通信技術分野に係り、特に干渉協調方法及び装置、基地局、ユーザーデバイス、コンピュータ読み取り可能な記録媒体に関する。
【背景技術】
【０００２】
無線通信技術の急速な発展に伴い、第５世代移動通信技術（５ｔｈ  Ｇｅｎｅｒａｔｉｏｎ、５Ｇと略称する）が登場した。５Ｇレイアウトの初期には、非独立（ｎｏｎ−ｓｔａｎｄａｌｏｎｅ、ＮＳＡと略称する）の方法で網を配置し、即ち、ロング・ターム・エボリューション（Ｌｏｎｇ  Ｔｅｒｍ  Ｅｖｏｌｕｔｉｏｎ、ＬＴＥと略称する）を主なカバレッジとし、ニューラジオ（ｎｅｗ  ｒａｄｉｏ、ＮＲ）をデータ転送業務の強力な補充として、ＬＴＥ−ＮＲ相互連動（ｉｎｔｅｒｗｏｒｋｉｎｇ）のレイアウトを形成する。このように、ＬＴＥの既存のネットワークのカバレッジの優勢を十分に利用しつつ、５Ｇ  ＮＲに徐々に移行することができ、ネットワーク移行をより平滑に安定させることができる。
【０００３】
現在、ＮＲの人気の網分布の周波数は、３．４−４．２ＧＨｚ、４．９９ＧＨｚ、２４ＧＨｚなどの周波数帯がある。ここで、低周波数帯域である３．４ＧＨｚは、特別に重視されており、多くのオペレーターは、３．４ＧＨｚ−３．６ＧＨｚの周波数で優先的に５Ｇ  ＮＲの配置を行っている。
【０００４】
ＬＴＥは、大量の周波数が１．７ＧＨｚ−１．８ＧＨｚの範囲で動作し、例えば、主流をなす周波数分割二重化（Ｆｒｅｑｕｅｎｃｙ  Ｄｉｖｉｓｉｏｎ  Ｄｕａｌ、ＦＤＤと略称する）の周波数バンド（Ｂａｎｄ）３などがある。
ユーザーデバイス（ＵＥ）は、ＬＴＥの１つの周波数帯域とＮＲの１つの周波数帯域で同時に動作してもよい、ＮＲの２つの周波数帯域で同時に動作してもよい、２つの周波数帯域での相互操作する場合、２つの周波数帯域でのアップリンク／ダウンリンク伝送に相互干渉の問題が存在する可能性がある。現在、２つの周波数帯域の並行を回避（即ち、１つの周波数帯域を活性化させるか、他の１つの周波数帯域を活性化させる方式）することにより、相互干渉の問題を解決しますが、この方式は、異なる周波数帯域を頻繁に活性化させる必要があるので、ＵＥの資源を浪費し、ユーザーの使用体験に影響を及ぼす。
【発明の概要】
【発明が解決しようとする課題】
【０００５】
上記の技術に存在する問題を解決するために、本発明は、ユーザーデバイス内の２つの周波数帯域でのアップリンク伝送とダウンリンク伝送とのデータチャネルの干渉の問題を解決するように、干渉協調方法及び装置、基地局、ユーザーデバイス、コンピュータ読み取り可能な記録媒体を開示する。
【課題を解決するための手段】
【０００６】
本発明の実施例の第１の態様によると、干渉協調方法を提供し、当該干渉協調方法は、
２つの周波数帯域でのユーザーデバイスＵＥのアップリンク／ダウンリンク伝送に機器内干渉が存在するか否かを判断するステップと、
２つの周波数帯域での前記ＵＥのアップリンク／ダウンリンク伝送に機器内干渉が存在すると確定されると、前記ＵＥが前記２つの周波数帯域のうちの少なくとも１つの周波数帯域でのアップリンク伝送を送信するようにスケジューリングする時間区間において、そのうちの１つの周波数帯域でのダウンリンク伝送のスケジューリング情報を前記ＵＥに送信することを停止し、または、ブランクサブフレームまたはオールモーストブランクサブフレームを前記ＵＥに送信するステップと、または、
そのうちの１つの周波数帯域でのダウンリンク伝送のスケジューリング情報を前記ＵＥに送信する時間区間において、前記２つの周波数帯域のうちの少なくとも１つの周波数帯域でのアップリンク伝送のスケジューリング情報を前記ＵＥに送信することを停止するステップと、を含む。
【０００７】
一実施形態において、２つの周波数帯域での前記ＵＥのアップリンク／ダウンリンク伝送に機器内干渉が存在すると確定されると、前記ＵＥが前記２つの周波数帯域のうちの少なくとも１つの周波数帯域でのアップリンク伝送を送信するようにスケジューリングする時間区間において、そのうちの１つの周波数帯域でのダウンリンク伝送のスケジューリング情報を前記ＵＥに送信することを停止するステップは、
第１の周波数帯域での前記ＵＥのアップリンク伝送と第２の周波数帯域での前記ＵＥのダウンリンク伝送に高調波干渉が存在すると確定されると、前記ＵＥが前記第１の周波数帯域でのアップリンク伝送を送信するようにスケジューリングする時間区間において、前記第２の周波数帯域でのダウンリンク伝送のスケジューリング情報を前記ＵＥに送信することを停止するステップを含む。
【０００８】
一実施例において、そのうちの１つの周波数帯域でのダウンリンク伝送のスケジューリング情報を前記ＵＥに送信する時間区間において、前記２つの周波数帯域のうちの少なくとも１つの周波数帯域でのアップリンク伝送のスケジューリング情報を前記ＵＥに送信することを停止するステップは、
前記第２の周波数帯域でのダウンリンク伝送のスケジューリング情報を前記ＵＥに送信する時間区間において、前記第１の周波数帯域でのアップリンク伝送のスケジューリング情報を前記ＵＥに送信することを停止するステップを含む。
【０００９】
一実施形態において、２つの周波数帯域での前記ＵＥのアップリンク／ダウンリンク伝送に機器内干渉が存在すると確定されると、前記ＵＥが前記２つの周波数帯域のうちの少なくとも１つの周波数帯域でのアップリンク伝送を送信するようにスケジューリングする時間区間において、そのうちの１つの周波数帯域でのダウンリンク伝送のスケジューリング情報を前記ＵＥに送信することを停止するステップは、
同時に前記第１の周波数帯域と前記第２の周波数帯域での前記ＵＥのアップリンク伝送と前記第１の周波数帯域での前記ＵＥのダウンリンク伝送に相互変調干渉が存在すると確定されると、前記ＵＥが前記第１の周波数帯域と前記第２の周波数帯域でのアップリンク伝送を同時に送信するようにスケジューリングする時間区間において、前記第１の周波数帯域でのダウンリンク伝送のスケジューリング情報を前記ＵＥに送信することを停止するステップを含む。
【００１０】
一実施例において、そのうちの１つの周波数帯域でのダウンリンク伝送のスケジューリング情報を前記ＵＥに送信する時間区間において、前記２つの周波数帯域のうちの少なくとも１つの周波数帯域でのアップリンク伝送のスケジューリング情報を前記ＵＥに送信することを停止するステップは、
第１の周波数帯域でのダウンリンク伝送のスケジューリング情報を前記ＵＥに送信する時間区間において、前記ＵＥが前記第１の周波数帯域と前記第２の周波数帯域でのアップリンク伝送を同時に送信するためのスケジューリング情報を前記ＵＥに送信することを停止するステップを含む。
【００１１】
一実施形態において、前記干渉協調方法は、
２つの周波数帯域でのＵＥのアップリンク／ダウンリンク伝送に機器内干渉が存在するか否かを判断する前に、前記ＵＥが報告した干渉許容能力情報を受信するステップをさらに含み、
２つの周波数帯域でのＵＥのアップリンク／ダウンリンク伝送に機器内干渉が存在するか否かを判断するステップは、
前記干渉許容能力情報と前記ＵＥがネットワークにアクセスした情報に基づいて、２つの周波数帯域でのＵＥのアップリンク／ダウンリンク伝送に機器内干渉が存在するか否かを判断するステップを含む。
【００１２】
一実施形態において、前記干渉協調方法は、
第１の周波数帯域での前記ＵＥのアップリンク伝送と第２の周波数帯域での前記ＵＥのダウンリンク伝送に高調波干渉が存在すると確定され、または、前記第１の周波数帯域と前記第２の周波数帯域での前記ＵＥのアップリンク伝送と前記第１の周波数帯域での前記ＵＥのダウンリンク伝送に同時に相互変調干渉が存在すると確定された後、前記ＵＥが干渉協調機能を開くように指示するための配置情報を前記ＵＥに送信するステップをさらに含む。
【００１３】
一実施例において、前記第２の周波数帯域でのダウンリンク伝送のスケジューリング情報を前記ＵＥに送信する時間区間において、前記第１の周波数帯域でのアップリンク伝送のスケジューリング情報を前記ＵＥに送信することを停止するステップは、
前記ＵＥから送信された前記第１の周波数帯域でのアップリンク伝送のスケジューリング要求を受信し、前記第２の周波数帯域でのダウンリンク伝送のスケジューリング情報を前記ＵＥに送信した後、前記第１の周波数帯域でのアップリンク伝送のスケジューリング情報を前記ＵＥに送信するステップを含む。
【００１４】
一実施例において、第１の周波数帯域でのダウンリンク伝送のスケジューリング情報を前記ＵＥに送信する時間区間において、前記ＵＥが前記第１の周波数帯域と前記第２の周波数帯域でのアップリンク伝送を同時に送信するためのスケジューリング情報を前記ＵＥに送信することを停止するステップは、
前記ＵＥから送信された前記第１の周波数帯域と前記第２の周波数帯域でのアップリンク伝送のスケジューリング要求を受信し、前記第１の周波数帯域でのダウンリンク伝送のスケジューリング情報を前記ＵＥに送信した後、前記第１の周波数帯域と前記第２の周波数帯域でのアップリンク伝送のスケジューリング情報を前記ＵＥに送信するステップを含む。
【００１５】
一実施例において、前記第１の周波数帯域は、ロング・ターム・エボリューション（ＬＴＥ）の周波数帯域に属し、前記第２の周波数帯域は、ニューラジオ（ＮＲ）の周波数帯域に属し、または、
前記第１の周波数帯域と前記第２の周波数帯域は、ニューラジオ（ＮＲ）のうち２つの周波数帯域に属する。
【００１６】
前記配置情報は、前記基地局から送信された放送シグナリング、上位層シグナリングまたは物理層制御シグナリングに含まれる。
【００１７】
本発明の実施例の第２の態様によると、干渉協調方法を提供し、当該干渉協調方法は、
基地局から送信された配置情報を受信するステップと、
前記配置情報に基づいて干渉協調機能を開くステップと、を含み、
前記配置情報は、前記基地局が第１の周波数帯域での前記ＵＥのアップリンク伝送と第２の周波数帯域での前記ＵＥのダウンリンク伝送に高調波干渉が存在し、または、前記第１の周波数帯域と前記第２の周波数帯域での前記ＵＥのアップリンク伝送と前記第１の周波数帯域での前記ＵＥのダウンリンク伝送に同時に相互変調干渉が存在すると確定した後送信されるものである。
【００１８】
一実施形態において、前記干渉協調方法は、
前記配置情報に基づいて干渉協調機能を開いた後、前記基地局から送信された前記第２の周波数帯域でのダウンリンク伝送のスケジューリング情報を受信する時間区間において、前記第１の周波数帯域でのアップリンク伝送のスケジューリング要求を前記基地局に送信することを停止するステップをさらに含む。
【００１９】
一実施形態において、前記干渉協調方法は、
前記配置情報に基づいて干渉協調機能を開いた後、前記基地局から送信された前記第１の周波数帯域でのダウンリンク伝送のスケジューリング情報を受信する時間区間において、前記第１の周波数帯域と前記第２の周波数帯域でのアップリンク伝送のスケジューリング要求を前記基地局に送信することを停止するステップをさらに含む。
【００２０】
一実施形態において、前記干渉協調方法は、
前記基地局から送信された配置情報を受信する前、前記ＵＥの干渉許容能力情報を前記基地局に報告して、前記基地局が前記干渉許容能力情報と前記ＵＥがアクセスしたネットワークの情報に基づいて、前記高調波干渉又は前記相互変調干渉が存在するか否かを判断するステップをさらに含む。
【００２１】
一実施例において、前記第１の周波数帯域は、ロング・ターム・エボリューション（ＬＴＥ）の周波数帯域に属し、前記第２の周波数帯域は、ニューラジオ（ＮＲ）の周波数帯域に属し、または、
前記第１の周波数帯域と前記第２の周波数帯域は、ニューラジオ（ＮＲ）のうち２つの周波数帯域に属する。
【００２２】
一実施形態において、前記配置情報は、前記基地局から送信された放送シグナリング、上位層シグナリングまたは物理層制御シグナリングに含まれる。
【００２３】
本発明の実施例の第３の態様によると、干渉協調装置を提供し、当該干渉協調装置は、
２つの周波数帯域でのユーザーデバイスＵＥのアップリンク／ダウンリンク伝送に機器内干渉が存在するか否かを判断するように構成される判断モジュールと、
前記判断モジュールが２つの周波数帯域での前記ＵＥのアップリンク／ダウンリンク伝送に機器内干渉が存在すると確定すると、前記ＵＥが前記２つの周波数帯域のうちの少なくとも１つの周波数帯域でのアップリンク伝送を送信するようにスケジューリングする時間区間において、そのうちの１つの周波数帯域でのダウンリンク伝送のスケジューリング情報を前記ＵＥに送信することを停止し、または、ブランクサブフレームまたはオールモーストブランクサブフレームを前記ＵＥに送信するように構成される第１の協調モジュールと、または、
前記判断モジュールが２つの周波数帯域での前記ＵＥのアップリンク／ダウンリンク伝送に機器内干渉が存在すると確定すると、そのうちの１つの周波数帯域でのダウンリンク伝送のスケジューリング情報を前記ＵＥに送信する時間区間において、前記２つの周波数帯域のうちの少なくとも１つの周波数帯域でのアップリンク伝送のスケジューリング情報を前記ＵＥに送信することを停止するように構成される第２の協調モジュールと、を含む。
【００２４】
一実施例において、前記第１の協調モジュールは、
第１の周波数帯域での前記ＵＥのアップリンク伝送と第２の周波数帯域での前記ＵＥのダウンリンク伝送に高調波干渉が存在すると確定されると、前記ＵＥが前記第１の周波数帯域でのアップリンク伝送を送信するようにスケジューリングする時間区間において、前記第２の周波数帯域でのダウンリンク伝送のスケジューリング情報を前記ＵＥに送信することを停止するように構成される第１の協調サブモジュールを含む。
【００２５】
一実施例において、前記第２の協調モジュールは、
前記第２の周波数帯域でのダウンリンク伝送のスケジューリング情報を前記ＵＥに送信する時間区間において、前記第１の周波数帯域でのアップリンク伝送のスケジューリング情報を前記ＵＥに送信することを停止するように構成される第２の協調サブモジュールを含む。
【００２６】
一実施例において、前記第１の協調モジュールは、
同時に前記第１の周波数帯域と前記第２の周波数帯域での前記ＵＥのアップリンク伝送と前記第１の周波数帯域での前記ＵＥのダウンリンク伝送に相互変調干渉が存在すると確定されると、前記ＵＥが前記第１の周波数帯域と前記第２の周波数帯域でのアップリンク伝送を同時に送信するようにスケジューリングする時間区間において、前記第１の周波数帯域でのダウンリンク伝送のスケジューリング情報を前記ＵＥに送信することを停止するように構成される第３の協調サブモジュールを含む。
【００２７】
一実施例において、前記第２の協調モジュールは、
第１の周波数帯域でのダウンリンク伝送のスケジューリング情報を前記ＵＥに送信する時間区間において、前記ＵＥが前記第１の周波数帯域と前記第２の周波数帯域でのアップリンク伝送を同時に送信するためのスケジューリング情報を前記ＵＥに送信することを停止するように構成される第４の協調サブモジュールを含む。
【００２８】
一実施例において、前記干渉協調装置は、
前記判断モジュールが２つの周波数帯域でのＵＥのアップリンク／ダウンリンク伝送に機器内干渉が存在するか否かを判断する前に、前記ＵＥが報告した干渉許容能力情報を受信するように構成される受信モジュールをさらに含み、
前記判断モジュールは、前記干渉許容能力情報と前記ＵＥがネットワークにアクセスした情報に基づいて、２つの周波数帯域でのＵＥのアップリンク／ダウンリンク伝送に機器内干渉が存在するか否かを判断するように構成される。
【００２９】
一実施例において、前記干渉協調装置は、
前記第１の協調サブモジュールが第１の周波数帯域での前記ＵＥのアップリンク伝送と第２の周波数帯域での前記ＵＥのダウンリンク伝送に高調波干渉が存在すると確定し、または、前記第３の協調サブモジュールが前記第１の周波数帯域と前記第２の周波数帯域での前記ＵＥのアップリンク伝送と前記第１の周波数帯域での前記ＵＥのダウンリンク伝送に同時に相互変調干渉が存在すると確定した後、前記ＵＥが干渉協調機能を開くように指示するための配置情報を前記ＵＥに送信するように構成される送信モジュールをさらに含む。
【００３０】
一実施例において、前記第２の協調サブモジュールは、前記ＵＥから送信された前記第１の周波数帯域でのアップリンク伝送のスケジューリング要求を受信し、前記第２の周波数帯域でのダウンリンク伝送のスケジューリング情報を前記ＵＥに送信した後、前記第１の周波数帯域でのアップリンク伝送のスケジューリング情報を前記ＵＥに送信するように構成される。
【００３１】
一実施例において、第４の協調サブモジュールは、前記ＵＥから送信された前記第１の周波数帯域と前記第２の周波数帯域でのアップリンク伝送のスケジューリング要求を受信し、前記第１の周波数帯域でのダウンリンク伝送のスケジューリング情報を前記ＵＥに送信した後、前記第１の周波数帯域と前記第２の周波数帯域でのアップリンク伝送のスケジューリング情報を前記ＵＥに送信するように構成される。
【００３２】
一実施例において、前記第１の周波数帯域は、ロング・ターム・エボリューション（ＬＴＥ）の周波数帯域に属し、前記第２の周波数帯域は、ニューラジオ（ＮＲ）の周波数帯域に属し、または、
前記第１の周波数帯域と前記第２の周波数帯域は、ニューラジオ（ＮＲ）のうち２つの周波数帯域に属する。
【００３３】
一実施形態において、前記配置情報は、前記基地局から送信された放送シグナリング、上位層シグナリングまたは物理層制御シグナリングに含まれる。
【００３４】
本発明の実施例の第４の態様によると、干渉協調装置を提供し、当該干渉協調装置は、
基地局から送信された配置情報を受信するように構成される受信モジュールと、
前記受信モジュールが受信した前記配置情報に基づいて干渉協調機能を開くように構成される開きモジュールと、を含み、
前記配置情報は、前記基地局が第１の周波数帯域での前記ＵＥのアップリンク伝送と第２の周波数帯域での前記ＵＥのダウンリンク伝送に高調波干渉が存在し、または、前記第１の周波数帯域と前記第２の周波数帯域での前記ＵＥのアップリンク伝送と前記第１の周波数帯域での前記ＵＥのダウンリンク伝送に同時に相互変調干渉が存在すると確定した後送信されるものである。
【００３５】
一実施例において、前記干渉協調装置は、
前記開きモジュールが前記配置情報に基づいて干渉協調機能を開いた後、前記基地局から送信された前記第２の周波数帯域でのダウンリンク伝送のスケジューリング情報を受信する時間区間において、前記第１の周波数帯でのアップリンク伝送のスケジューリング要求を前記基地局に送信することを停止するように構成される第１の協調モジュールをさらに含む。
【００３６】
一実施例において、前記干渉協調装置は、
前記開きモジュールが前記配置情報に基づいて干渉協調機能を開いた後、前記基地局から送信された前記第１の周波数帯域でのダウンリンク伝送のスケジューリング情報を受信する時間区間において、前記第１の周波数帯域と上記第２の周波数帯域でのアップリンク伝送のスケジューリング要求を前記基地局に送信することを停止するように構成される第２の協調モジュールをさらに含む。
【００３７】
一実施例において、前記干渉協調装置は、
前記受信モジュールが基地局から送信された配置情報を受信する前に、前記ＵＥの干渉許容能力情報を前記基地局に報告して、前記基地局が前記干渉許容能力情報と前記ＵＥがアクセスしたネットワークの情報に基づいて、前記高調波干渉または前記相互変調干渉が存在するか否かを判断するように構成される報告モジュールをさらに含む。
【００３８】
一実施例において、前記第１の周波数帯域は、ロング・ターム・エボリューション（ＬＴＥ）の周波数帯域に属し、前記第２の周波数帯域は、ニューラジオ（ＮＲ）の周波数帯域に属し、または、
前記第１の周波数帯域と前記第２の周波数帯域は、ニューラジオ（ＮＲ）のうち２つの周波数帯域に属する。
【００３９】
一実施形態において、前記配置情報は、前記基地局から送信された放送シグナリング、上位層シグナリングまたは物理層制御シグナリングに含まれる。
【００４０】
本発明の実施例の第５の態様によると、基地局を提供し、当該基地局は、
プロセッサーと、
プロセッサーで実行可能なコマンドを格納するメモリと、を含み、
前記プロセッサーは、
２つの周波数帯域でのユーザーデバイスＵＥのアップリンク／ダウンリンク伝送に機器内干渉が存在するか否かを判断し、
２つの周波数帯域での前記ＵＥのアップリンク／ダウンリンク伝送に機器内干渉が存在すると確定されると、前記ＵＥが前記２つの周波数帯域のうちの少なくとも１つの周波数帯域でのアップリンク伝送を送信するようにスケジューリングする時間区間において、そのうちの１つの周波数帯域でのダウンリンク伝送のスケジューリング情報を前記ＵＥに送信することを停止し、または、ブランクサブフレームまたはオールモーストブランクサブフレームを前記ＵＥに送信し、または、
そのうちの１つの周波数帯域でのダウンリンク伝送のスケジューリング情報を前記ＵＥに送信する時間区間において、前記２つの周波数帯域のうちの少なくとも１つの周波数帯域でのアップリンク伝送のスケジューリング情報を前記ＵＥに送信することを停止するように構成される。
【００４１】
本発明の実施例の第６の態様によると、ユーザーデバイスを提供し、当該ユーザーデバイスは、
プロセッサーと
前記プロセッサーで実行可能なコマンドを格納するメモリと、を含み、
前記プロセッサーは、
基地局から送信された配置情報を受信し、
前記配置情報に基づいて干渉協調機能を開くように構成され、
前記配置情報は、前記基地局が第１の周波数帯域での前記ＵＥのアップリンク伝送と第２の周波数帯域での前記ＵＥのダウンリンク伝送に高調波干渉が存在し、または、前記第１の周波数帯域と前記第２の周波数帯域での前記ＵＥのアップリンク伝送と前記第１の周波数帯域での前記ＵＥのダウンリンク伝送に同時に相互変調干渉が存在すると確定した後送信されるものである。
【００４２】
本発明の実施例の第７の態様によると、コンピュータプログラムが記録されるコンピュータ読み取り可能な記録媒体を提供し、
前記プログラムは、プロセッサーによって実行されると、上記の干渉協調方法のステップを実現する。
【００４３】
本発明の実施例の第８の態様によると、コンピュータプログラムが記録されるコンピュータ読み取り可能な記録媒体を提供し、
前記プログラムは、プロセッサーによって実行されると、上記の干渉協調方法のステップを実現する。
【００４４】
本発明の実施例で提供される技術方案は、以下のような有益な効果を含むことができる。
【００４５】
２つの周波数帯域でのＵＥのアップリンク／ダウンリンク伝送に機器内干渉が存在することを確定した後、ＵＥが２つの周波数帯域のうちの少なくとも１つの周波数帯域でのアップリンク伝送を送信するようにスケジューリングする時間区間において、そのうちの１つの周波数帯域でのダウンリンク伝送のスケジューリング情報をＵＥに送信することを停止し、または、２つの周波数帯域のうちの少なくとも１つの周波数帯域でのアップリンク伝送の時間区間において、ブランクサブフレームまたはオールモーストブランクサブフレームをＵＥに送信し、または、そのうちの１つの周波数帯域でのダウンリンク伝送のスケジューリング情報をＵＥに送信する時間区間において、２つの周波数帯域のうちの少なくとも１つの周波数帯域でのアップリンク伝送のスケジューリング情報をＵＥに送信することを停止することにより、機器内のデータチャネルの干渉を回避する目的を実現することができる。
【００４６】
第１の周波数帯域でのＵＥのアップリンク伝送と第２の周波数帯域でのＵＥのダウンリンク伝送に高調波干渉が存在することを確定した後、ＵＥが第１の周波数帯域でのアップリンク伝送を送信するようにスケジューリングする時間区間において、第２の周波数帯域でのダウンリンク伝送のスケジューリング情報をＵＥに送信することを停止してもよい、または、ＵＥが第１の周波数帯域でのアップリンク伝送を送信するようにスケジューリングする時間区間において、ブランクサブフレームまたはオールモーストブランクサブフレームをＵＥに送信してもよい、これにより、アップリンク／ダウンリンク伝送の協調スケジューリングを利用して高調波干渉を回避する目的を実現することができる。
【００４７】
第１の周波数帯域でのＵＥのアップリンク伝送と第２の周波数帯域でのＵＥのダウンリンク伝送に高調波干渉が存在することを確定した後、第２の周波数帯域でのダウンリンク伝送のスケジューリング情報をＵＥに送信する時間区間において、第１の周波数帯域でのアップリンク伝送のスケジューリング情報をＵＥに送信することを停止してもよい、これにより、アップリンク／ダウンリンク伝送の協調スケジューリングを利用して高調波干渉を回避する目的を実現することができる。
【００４８】
第１の周波数帯域と第２の周波数帯域でのＵＥのアップリンク伝送と第１の周波数帯域でのＵＥのダウンリンク伝送に同時に相互変調干渉が存在することを確定した後、ＵＥが第１の周波数帯域と第２の周波数帯域でのアップリンク伝送を同時に送信するようにスケジューリングする時間区間において、第１の周波数帯域でのダウンリンク伝送のスケジューリング情報をＵＥに送信することを停止し、または、ＵＥが第１の周波数帯域と第２の周波数帯域でのアップリンク伝送を同時に送信するようにスケジューリングする時間区間において、ブランクサブフレームまたはオールモーストブランクサブフレームをＵＥに送信することにより、アップリンク／ダウンリンク伝送の協調スケジューリングを利用して相互変調干渉を回避する目的を実現することができる。
【００４９】
第１の周波数帯域と第２の周波数帯域でのＵＥのアップリンク伝送と第１の周波数帯域でのＵＥのダウンリンク伝送に同時に相互変調干渉が存在することを確定した後、第１の周波数帯域でのダウンリンク伝送のスケジューリング情報をＵＥに送信する時間区間において、ＵＥが第１の周波数帯域と第２の周波数帯域でのアップリンク伝送を同時に送信するためのスケジューリング情報をＵＥに送信することを停止することにより、アップリンク／ダウンリンク伝送の協調スケジューリングを利用して相互変調干渉を回避する目的を実現することができる。
【００５０】
ＵＥが報告した干渉許容能力情報を受信し、当該干渉許容能力情報とＵＥがアクセスしたネットワークの情報に基づいて、２つの周波数帯域でのＵＥのアップリンク／ダウンリンク伝送に高調波干渉または相互変調干渉が存在するか否かを判断することにより、干渉を判断する正確率を向上させることができる。
【００５１】
第２の周波数帯域でのダウンリンク伝送のスケジューリング情報をＵＥに送信した後、第１の周波数帯域でのアップリンク伝送のスケジューリング情報をＵＥに送信することにより、基地局が第２の周波数帯域でのダウンリンク伝送のスケジューリング情報をＵＥに送信する時間区間において、第１の周波数帯域でのアップリンク伝送のスケジューリング情報をＵＥに送信することを停止する効果を実現することができ、これにより、高調波干渉を回避することができる。一方、第１の周波数帯域でのダウンリンク伝送のスケジューリング情報をＵＥに送信した後、第１の周波数帯域と第２の周波数帯域でのアップリンク伝送のスケジューリング情報をＵＥに送信することにより、第１の周波数帯域でのダウンリンク伝送のスケジューリング情報をＵＥに送信する時間区間において、ＵＥが第１の周波数帯域と第２の周波数帯域でのアップリンク伝送を同時に送信するためのスケジューリング情報をＵＥに送信することを停止する効果を実現することができ、これにより、高調波干渉を回避する。
【００５２】
２つの周波数帯域が属する周波数帯域を説明することにより、上記態様をより明確にする。
【００５３】
配置情報が基地局から送信された放送シグナリング、上位層シグナリングまたは物理層制御シグナリングに含まれることを説明することにより、上記態様をより明確にする。
【００５４】
基地局から送信された配置情報を受信すると共に、当該配置情報に基づいて干渉協調機能を開くことにより、その後の対応する時間区間でスケジューリング要求の送信を停止することに条件を提供することができる。
【００５５】
基地局から送信された第２の周波数帯域でのダウンリンク伝送のスケジューリング情報を受信する時間区間において、第１の周波数帯域でのアップリンク伝送のスケジューリング要求を基地局に送信することを停止することにより、基地局が第２の周波数帯域でのダウンリンク伝送のスケジューリング情報をＵＥに送信する時間区間において、第１の周波数帯域でのアップリンク伝送のスケジューリング情報をＵＥに送信することを停止する効果を実現することができ、これにより、高調波干渉を回避することができる。
【００５６】
基地局から送信された第１の周波数帯域でのダウンリンク伝送のスケジューリング情報を受信する時間区間において、第１の周波数帯域と第２の周波数帯域でのアップリンク伝送のスケジューリング要求を基地局に送信することを停止することにより、基地局が第１の周波数帯域でのダウンリンク伝送のスケジューリング情報をＵＥに送信する時間区間において、ＵＥが第１の周波数帯域と第２の周波数帯域でのアップリンク伝送を同時に送信するためのスケジューリング情報をＵＥに送信することを停止する効果を実現することができ、これにより、相互変調干渉を回避することができる。
【００５７】
基地局に自分の干渉許容能力情報を報告することにより、基地局が当該干渉許容能力情報とＵＥがアクセスしたネットワークの情報に基づいて、２つの周波数帯域でのＵＥのアップリンク／ダウンリンク伝送に機器内干渉（例えば、高調波干渉や相互変調干渉）が存在するか否かを判断するようにすることにより、干渉を判断する正確率を向上させることができる。
【００５８】
２つの周波数帯域が属する周波数帯域を説明することにより、上記態様をより明確にする。
【００５９】
配置情報が基地局から送信された放送シグナリング、上位層シグナリングまたは物理層制御シグナリングに含まれることを説明することにより、上記態様をより明確にする。
【００６０】
なお、前記一般的な記載及び後述の詳細な記載は、単なる例示的で解釈的な記載であり、本発明を限定しない。
【図面の簡単な説明】
【００６１】
ここの図面は、明細書に組み入れて本明細書の一部分を構成し、本発明に該当する実施例を例示するとともに、明細書とともに本発明の原理を解釈する。
【図１】本発明の一例示的な実施例に係る干渉協調方法のフローチャートである。
【図２Ａ】本発明の一例示的な実施例に係る他の干渉協調方法のフローチャートである。
【図２Ｂ】本発明の一例示的な実施例に係る高調波干渉が存在する２つの周波数帯域の模式図である。
【図２Ｃ】本発明の一例示的な実施例に係る相互変調干渉が存在する２つの周波数帯域の模式図である。
【図３】本発明の一例示的な実施例に係るまた他の干渉協調方法のフローチャートである。
【図４】本発明の一例示的な実施例に係る干渉協調方法のシグナリングフローチャートである。
【図５】本発明の一例示的な実施例に係る他の干渉協調方法のシグナリングフローチャートである。
【図６】一例示的な実施例に係る干渉協調装置のブロック図である。
【図７Ａ】一例示的な実施例に係る他の干渉協調装置のブロック図である。
【図７Ｂ】一例示的な実施例に係る他の干渉協調装置のブロック図である。
【図８Ａ】一例示的な実施例に係る他の干渉協調装置のブロック図である。
【図８Ｂ】一例示的な実施例に係る他の干渉協調装置のブロック図である。
【図８Ｃ】一例示的な実施例に係る他の干渉協調装置のブロック図である。
【図９】一例示的な実施例に係るまた他の干渉協調装置のブロック図である。
【図１０Ａ】一例示的な実施例に係るまた他の干渉協調装置のブロック図である。
【図１０Ｂ】一例示的な実施例に係るまた他の干渉協調装置のブロック図である。
【図１０Ｃ】一例示的な実施例に係るまた他の干渉協調装置のブロック図である。
【図１１】一例示的な実施例に係る干渉協調装置に適用されるブロック図である。
【図１２】一例示的な実施例に係る他の干渉協調装置に適用されるブロック図である。
【発明を実施するための形態】
【００６２】
以下、一例示的な実施例を詳しく説明し、その例示を図面に示す。以下の記載が図面に関わる場合、特に別の説明がない限り、異なる図面における同一符号は、同じ又は類似する要素を示す。以下の例示的な実施形態に記載の実施例は、本発明と一致する全ての実施例を代表するものではない。即ち、それらは、特許請求の範囲に記載の本発明のある側面に一致する装置及び方法の例に過ぎない。
【００６３】
図１は、本発明の一例示的な実施例に係る干渉協調方法のフローチャートである。この実施例は、基地局側から説明し、図１に示すように、当該干渉協調方法は、以下のステップを含む。
【００６４】
ステップＳ１０１において、２つの周波数帯域でのＵＥのアップリンク／ダウンリンク伝送に機器内干渉が存在するか否かを判断し、２つの周波数帯域でのＵＥのアップリンク／ダウンリンク伝送に機器内干渉が存在すると確定されると、ステップＳ１０２またはステップＳ１０３を実行する。
【００６５】
この実施例において、基地局は、ＵＥがアクセスしたネットワークの情報に基づいて２つの周波数帯域でのＵＥのアップリンク／ダウンリンク伝送に機器内干渉が存在するか否かを判断することができ、ここで、機器内干渉は、高調波干渉と相互変調干渉を含んでもよい。
【００６６】
１つの周波数帯域の整数倍と他の１つの周波数帯域が少なくとも部分的に重なる場合、この２つの周波数帯域でのアップリンク／ダウンリンク伝送に高調波干渉が発生する可能性がある。
【００６７】
相互変調干渉（ｉｎｔｅｒｍｏｄｕｌａｔｉｏｎ  ｉｎｔｅｒｆｅｒｅｎｃｅ、ＩＭ  ｉｎｔｅｒｆｅｒｅｎｃｅと略す）とは、２つまたは複数の干渉信号が受信機に同時に印加される場合、非線形的な作用により、その２つの干渉の組み合わせ周波数がたまに有用信号周波数にちょうど等しくなりまたは近くなって受信機をスムーズに通過して干渉を形成することをいう。
【００６８】
ステップＳ１０２において、ＵＥが２つの周波数帯域のうちの少なくとも１つの周波数帯域でのアップリンク伝送を送信するようにスケジューリングする時間区間において、そのうちの１つの周波数帯域でのダウンリンク伝送のスケジューリング情報をＵＥに送信することを停止し、または、ブランクサブフレームまたはオールモーストブランクサブフレームをＵＥに送信する。
【００６９】
この実施例において、基地局が２つの周波数帯域でのＵＥのアップリンク／ダウンリンク伝送に機器内干渉が存在する（例えば、高調波干渉や相互変調干渉が存在する）と確定すると、ＵＥが２つの周波数帯域のうちの少なくとも１つの周波数帯域でのアップリンク伝送を送信するようにスケジューリングする時間区間において、そのうちの１つの周波数帯域でのダウンリンク伝送のスケジューリング情報をＵＥに送信することを停止してもよい、または、ＵＥが２つの周波数帯域のうちの少なくとも１つの周波数帯域でのアップリンク伝送を送信するようにスケジューリングする時間区間において、ブランクサブフレームまたはオールモーストブランクサブフレームをＵＥに送信してもよい。
【００７０】
ここで、ブランクサブフレーム（Ｂｌａｎｋ  Ｓｕｂｆｒａｍｅ）とは、何も情報が送信されないサブフレームである。オールモーストブランクサブフレーム（Ａｌｍｏｓｔ  Ｂｌａｎｋ  Ｓｕｂｆｒａｍｅ、ＡＢＳと略す）とは、制御情報と参考信号を含むが、データ情報を含まないタイプのサブフレームをいう。
【００７１】
ステップＳ１０３において、そのうちの１つの周波数帯域でのダウンリンク伝送のスケジューリング情報をＵＥに送信する時間区間において、２つの周波数帯域のうちの少なくとも１つの周波数帯域でのアップリンク伝送のスケジューリング情報をＵＥに送信することを停止する。
【００７２】
この実施例において、基地局が２つの周波数帯域でのＵＥのアップリンク／ダウンリンク伝送に機器内干渉が存在する（例えば、高調波干渉や相互変調干渉が存在する）と確定すると、そのうちの１つの周波数帯域でのダウンリンク伝送のスケジューリング情報をＵＥに送信する時間区間において、２つの周波数帯域のうちの少なくとも１つの周波数帯域でのアップリンク伝送のスケジューリング情報をＵＥに送信することを停止してもよい。
【００７３】
上記の実施例において、２つの周波数帯域でのＵＥのアップリンク／ダウンリンク伝送に機器内干渉が存在することを確定した後、ＵＥが２つの周波数帯域のうちの少なくとも１つの周波数帯域でのアップリンク伝送を送信するようにスケジューリングする時間区間において、そのうちの１つの周波数帯域でのダウンリンク伝送のスケジューリング情報をＵＥに送信することを停止し、または、２つの周波数帯域のうちの少なくとも１つの周波数帯域でのアップリンク伝送の時間区間において、ブランクサブフレームまたはオールモーストブランクサブフレームをＵＥに送信し、または、そのうちの１つの周波数帯域でのダウンリンク伝送のスケジューリング情報をＵＥに送信する時間区間において、２つの周波数帯域のうちの少なくとも１つの周波数帯域でのアップリンク伝送のスケジューリング情報をＵＥに送信することを停止することによって、機器内のデータチャネルの干渉を回避する目的を実現することができる。
【００７４】
図２Ａは、本発明の一例示的な実施例に係る他の干渉協調方法のフローチャートである。この実施例は、基地局側から説明し、図２Ａに示すように、当該干渉協調方法は、以下のステップを含む。
【００７５】
ステップＳ２０１において、２つの周波数帯域でのユーザーデバイスＵＥのアップリンク／ダウンリンク伝送に高調波干渉または相互変調干渉が存在するか否かを判断し、第１の周波数帯域でのＵＥのアップリンク伝送と第２の周波数帯域でのＵＥのダウンリンク伝送に高調波干渉が存在すると確定されると、ステップＳ２０２またはステップＳ２０３を実行する。第１の周波数帯域と第２の周波数帯域でのＵＥのアップリンク伝送と第１の周波数帯域でのＵＥのダウンリンク伝送に同時に相互変調干渉が存在すると確定されると、ステップＳ２０４またはステップＳ２０５を実行する。
【００７６】
この実施例において、基地局は、ＵＥがアクセスしたネットワークの情報に基づいて２つの周波数帯域でのＵＥのアップリンク／ダウンリンク伝送に高調波干渉または相互変調干渉が存在するか否かを判断してもよい。判断の正確率を向上させるために、ＵＥが報告した干渉許容能力情報を先に受信した後、当該干渉許容能力情報とＵＥがアクセスしたネットワークの情報に基づいて、２つの周波数帯域でのＵＥのアップリンク／ダウンリンク伝送に高調波干渉または相互変調干渉が存在するか否かを判断してもよい。
【００７７】
ここで、第１の周波数帯域は、ＬＴＥの周波数帯域に属してもよい、第２の周波数帯域は、ＮＲの周波数帯域に属してもよい。また、第１の周波数帯域と第２の周波数帯域は、ＮＲのうちの２つの周波数帯域に属してもよい。
【００７８】
第１の周波数帯域がＬＴＥの周波数帯域であり、第２の周波数帯域がＮＲの周波数帯域であると仮定し、例えば、図２Ｂに示すように、ＬＴＥの周波数帯域でのＵＥのアップリンク伝送（ＵＬ）２１とＮＲの周波数帯域でのＵＥのダウンリンク伝送（ＤＬ）２２に高調波干渉が存在する。図２Ｃに示すように、同時にＬＴＥの周波数帯域でのＵＥのアップリンク伝送２４及びＮＲの周波数帯域でのＵＥのアップリンク伝送２５とＬＴＥの周波数帯域でのＵＥのダウンリンク伝送２６に相互変調干渉が存在する。
【００７９】
ステップＳ２０２において、ＵＥが第１の周波数帯域でのアップリンク伝送を送信するようにスケジューリングする時間区間において、第２の周波数帯域でのダウンリンク伝送のスケジューリング情報をＵＥに送信することを停止し、または、ブランクサブフレームまたはオールモーストブランクサブフレームをＵＥに送信する。
【００８０】
この実施例において、基地局は、第１の周波数帯域でのＵＥのアップリンク伝送と第２の周波数帯域でのＵＥのダウンリンク伝送に高調波干渉が存在することを確定した後、ＵＥが第１の周波数帯域でのアップリンク伝送を送信するようにスケジューリングする時間区間において、第２の周波数帯域でのダウンリンク伝送のスケジューリング情報をＵＥに送信することを停止し、または、ＵＥが第１の周波数帯域でのアップリンク伝送を送信するようにスケジューリングする時間区間において、ブランクサブフレームまたはオールモーストブランクサブフレームをＵＥに送信してもよい。
【００８１】
図２Ｂを例として説明する。基地局は、ＬＴＥの周波数帯域でのＵＥのアップリンク伝送とＮＲの周波数帯域でのＵＥのダウンリンク伝送に高調波干渉が存在することを確定した後、ＵＥがＬＴＥの周波数帯域でのアップリンク伝送を送信するようにスケジューリングする時間区間において、ＮＲの周波数帯域でのダウンリンク伝送のスケジューリング情報をＵＥに送信することを停止し、または、ＵＥがＬＴＥの周波数帯域でのアップリンク伝送を送信するようにスケジューリングする時間区間において、ブランクサブフレームまたはオールモーストブランクサブフレームをＵＥに送信することにより、高調波干渉を回避することができる。
ステップＳ２０３において、第２の周波数帯域でのダウンリンク伝送のスケジューリング情報をＵＥに送信する時間区間において、第１の周波数帯域でのアップリンク伝送のスケジューリング情報をＵＥに送信することを停止する。
【００８２】
この実施例において、基地局は、第１の周波数帯域でのＵＥのアップリンク伝送と第２の周波数帯域でのＵＥのダウンリンク伝送に高調波干渉が存在することを確定した後、第２の周波数帯域でのダウンリンク伝送のスケジューリング情報をＵＥに送信する時間区間において、第１の周波数帯域でのアップリンク伝送のスケジューリング情報をＵＥに送信することを停止してもよい。
【００８３】
図２Ｂを例として説明する。基地局は、ＬＴＥの周波数帯域でのＵＥのアップリンク伝送とＮＲの周波数帯域でのＵＥのダウンリンク伝送に高調波干渉が存在することを確定した後、ＮＲの周波数帯域でのダウンリンク伝送のスケジューリング情報をＵＥに送信する時間区間において、ＬＴＥの周波数帯域でのアップリンク伝送のスケジューリング情報をＵＥに送信することを停止してもよい、これにより、高調波干渉を回避することができる。
【００８４】
この実施例において、基地局がＵＥから送信された第１の周波数帯域でのアップリンク伝送のスケジューリング要求を受信した場合、第２の周波数帯域でのダウンリンク伝送のスケジューリング情報をＵＥに送信した後、第１の周波数帯域でのアップリンク伝送のスケジューリング情報をＵＥに送信してもよい、これにより、基地局が第２の周波数帯域でのダウンリンク伝送のスケジューリング情報をＵＥに送信する時間区間において、第１の周波数帯域でのアップリンク伝送のスケジューリング情報をＵＥに送信することを停止する効果を実現することができる。
【００８５】
ステップＳ２０４において、ＵＥが第１の周波数帯域と第２の周波数帯域でのアップリンク伝送を同時に送信するようにスケジューリングする時間区間において、第１の周波数帯域でのダウンリンク伝送のスケジューリング情報をＵＥに送信することを停止し、または、ブランクサブフレームまたはオールモーストブランクサブフレームをＵＥに送信する。
【００８６】
この実施例において、基地局は、同時に第１の周波数帯域と第２の周波数帯域でのＵＥのアップリンク伝送と第１の周波数帯域でのＵＥのダウンリンク伝送に相互変調干渉が存在することを確定した後、ＵＥが第１の周波数帯域と第２の周波数帯域でのアップリンク伝送を同時に送信するようにスケジューリングする時間区間において、第１の周波数帯域でのダウンリンク伝送のスケジューリング情報をＵＥに送信することを停止し、または、ブランクサブフレームまたはオールモーストブランクサブフレームをＵＥに送信することにより、相互変調干渉を回避することができる。
【００８７】
図２Ｃを例として説明する。基地局は、同時にＬＴＥの周波数帯域とＮＲの周波数帯域でのＵＥのアップリンク伝送とＬＴＥの周波数帯域でのＵＥのダウンリンク伝送に相互変調干渉が存在することを確定した後、ＵＥがＬＴＥの周波数帯域とＮＲの周波数帯域でのアップリンク伝送を同時に送信するようにスケジューリングする時間区間において、ＬＴＥの周波数帯域でのダウンリンク伝送のスケジューリング情報をＵＥに送信することを停止し、または、ＵＥがＬＴＥの周波数帯域とＮＲの周波数帯域でのアップリンク伝送を同時に送信するようにスケジューリングする時間区間において、ブランクサブフレームまたはオールモーストブランクサブフレームをＵＥに送信することにより、相互変調干渉を回避することができる。
【００８８】
ステップＳ２０５において、第１の周波数帯域でのダウンリンク伝送のスケジューリング情報をＵＥに送信する時間区間において、ＵＥが第１の周波数帯域と第２の周波数帯域でのアップリンク伝送を同時に送信するためのスケジューリング情報をＵＥに送信することを停止する。
【００８９】
この実施例において、基地局は、同時に第１の周波数帯域と第２の周波数帯域でのＵＥのアップリンク伝送と第１の周波数帯域でのＵＥのダウンリンク伝送に相互変調干渉が存在することを確定した後、第１の周波数帯域でのダウンリンク伝送のスケジューリング情報をＵＥに送信する時間区間において、ＵＥが第１の周波数帯域と第２の周波数帯域でのアップリンク伝送を同時に送信するためのスケジューリング情報をＵＥに送信することを停止してもよい、これにより、相互変調干渉を回避することができる。
【００９０】
図２Ｃを例として説明する。基地局は、同時にＬＴＥの周波数帯域とＮＲの周波数帯域でのＵＥのアップリンク伝送とＬＴＥの周波数帯域でのＵＥのダウンリンク伝送に相互変調干渉が存在することを確定した後、ＬＴＥの周波数帯域でのダウンリンク伝送のスケジューリング情報をＵＥに送信する時間区間において、ＵＥがＬＴＥの周波数帯域とＮＲの周波数帯域でのアップリンク伝送を同時に送信するためのスケジューリング情報をＵＥに送信することを停止してもよい、これにより、相互変調干渉を回避することができる。
【００９１】
この実施例において、ＵＥから送信された第１の周波数帯域と第２の周波数帯域でのアップリンク伝送のスケジューリング要求を受信した場合、第１の周波数帯域でのダウンリンク伝送のスケジューリング情報をＵＥに送信した後、第１の周波数帯域と第２の周波数帯域でのアップリンク伝送のスケジューリング情報をＵＥに送信することにより、第１の周波数帯域でのダウンリンク伝送のスケジューリング情報をＵＥに送信する時間区間において、ＵＥが第１の周波数帯域と第２の周波数帯域でのアップリンク伝送を同時に送信するためのスケジューリング情報をＵＥに送信することを停止する効果を実現することができる。
【００９２】
上記の実施例において、第１の周波数帯域でのＵＥのアップリンク伝送と第２の周波数帯域でのＵＥのダウンリンク伝送に高調波干渉が存在することを確定した後、ＵＥが第１の周波数帯域でのアップリンク伝送を送信するようにスケジューリングする時間区間において、第２の周波数帯域でのダウンリンク伝送のスケジューリング情報をＵＥに送信することを停止し、または、ＵＥが第１の周波数帯域でのアップリンク伝送を送信するようにスケジューリングする時間区間において、ブランクサブフレームまたはオールモーストブランクサブフレームをＵＥに送信し、または、第２の周波数帯域でのダウンリンク伝送のスケジューリング情報をＵＥに送信する時間区間において、第１の周波数帯域でのアップリンク伝送のスケジューリング情報をＵＥに送信することを停止してもよい、これにより、アップリンク／ダウンリンク伝送の協調スケジューリングを利用して高調波干渉を回避する目的を実現することができる。同時に、第１の周波数帯域と第２の周波数帯域でのＵＥのアップリンク伝送と第１の周波数帯域でのＵＥのダウンリンク伝送に同時に相互変調干渉が存在することを確定した後、ＵＥが第１の周波数帯域と第２の周波数帯域でのアップリンク伝送を同時に送信するようにスケジューリングする時間区間において、第１の周波数帯域でのダウンリンク伝送のスケジューリング情報をＵＥに送信することを停止し、または、ＵＥが第１の周波数帯域と第２の周波数帯域でのアップリンク伝送を同時に送信するようにスケジューリングする時間区間において、ブランクサブフレームまたはオールモーストブランクサブフレームをＵＥに送信し、または、第１の周波数帯域でのダウンリンク伝送のスケジューリング情報をＵＥに送信する時間区間において、ＵＥが第１の周波数帯域と第２の周波数帯域でのアップリンク伝送を同時に送信するためのスケジューリング情報をＵＥに送信することを停止することにより、アップリンク／ダウンリンク伝送の協調スケジューリングを利用して、相互変調干渉を回避する目的を実現することができる。
【００９３】
図３は、本発明の一例示的な実施例に係るまた他の干渉協調方法のフローチャートである。この実施例は、ＵＥ側から説明する。図３に示すように、当該干渉協調方法は、以下のステップを含む。
【００９４】
ステップＳ３０１において、基地局から送信された配置情報を受信し、当該配置情報は、基地局が第１の周波数帯域でのＵＥのアップリンク伝送と第２の周波数帯域でのＵＥのダウンリンク伝送に高調波干渉が存在し、または、第１の周波数帯域と第２の周波数帯域でのＵＥのアップリンク伝送と第１の周波数帯域でのＵＥのダウンリンク伝送に同時に相互変調干渉が存在すると確定した後送信されるものである。
【００９５】
この実施例において、基地局は、第１の周波数帯域でのＵＥのアップリンク伝送と第２の周波数帯域でのＵＥのダウンリンク伝送に高調波干渉が存在し、または、同時に第１の周波数帯域と第２の周波数帯域でのＵＥのアップリンク伝送と第１の周波数帯域でのＵＥのダウンリンク伝送に相互変調干渉が存在することを確定した後、ＵＥに配置情報を送信してもよい。
【００９６】
ここで、当該配置情報は、基地局から送信された放送シグナリング、上位層シグナリングまたは物理層制御シグナリングに含まれることができる。
【００９７】
選択的に、基地局が干渉を判断する正確率を向上させるために、ＵＥは、先に基地局へ自分の干渉許容能力情報を報告してもよい、これにより、基地局は、この干渉許容能力情報とＵＥがアクセスしたネットワークの情報に基づいて、２つの周波数帯域でのＵＥのアップリンク／ダウンリンク伝送に高調波干渉または相互変調干渉が存在するか否かを判断してもよい。
【００９８】
ステップＳ３０２において、配置情報に基づいて干渉協調機能を開く。
【００９９】
ＵＥは、当該配置情報を受信した後、当該配置情報に基づいて干渉協調機能を開くことができる。
【０１００】
上記の実施例において、基地局から送信された配置情報を受信し、当該配置情報に基づいて干渉協調機能を開くことにより、その後の対応する時間区間においてスケジューリング要求の送信を停止することに条件を提供することができる。
【０１０１】
図４は、本発明の一例示的な実施例に係る干渉協調方法のシグナリングフローチャートである。この実施例は、基地局とＵＥがインタラクションする角度から説明する。図４に示すように、当該干渉協調方法は、以下のステップを含む。
【０１０２】
ステップＳ４０１において、ＵＥは、基地局に自分の干渉許容能力情報を報告する。
【０１０３】
ステップＳ４０２において、基地局は、当該ＵＥの干渉許容能力情報を受信すると共に、当該ＵＥの干渉許容能力情報と当該ＵＥがアクセスしたネットワークの情報に基づいて、第１の周波数帯域でのＵＥのアップリンク伝送と第２の周波数帯域でのＵＥのダウンリンク伝送に高調波干渉が存在することを確定する。
【０１０４】
ステップＳ４０３において、基地局は、ＵＥに配置情報を送信し、当該配置情報は、ＵＥが干渉協調機能を開くように指示する。
【０１０５】
ステップＳ４０４において、ＵＥは、基地局から送信された配置情報を受信すると共に、当該配置情報に基づいて干渉協調機能を開く。
【０１０６】
ステップＳ４０５において、ＵＥは、基地局から送信された第２の周波数帯域でのダウンリンク伝送のスケジューリング情報を受信する時間区間において、第１の周波数帯域でのアップリンク伝送のスケジューリング要求を基地局に送信することを停止する。
【０１０７】
この実施例において、ＵＥが基地局から送信された第２の周波数帯域でのダウンリンク伝送のスケジューリング情報を受信する時間区間において、第１の周波数帯域でのアップリンク伝送のスケジューリング要求を基地局に送信することを停止することにより、基地局が第２の周波数帯域でのダウンリンク伝送のスケジューリング情報をＵＥに送信する時間区間において、第１の周波数帯域でのアップリンク伝送のスケジューリング情報をＵＥに送信することを停止する効果を実現することができ、これにより、高調波干渉を回避することができる。
【０１０８】
上記の実施例において、基地局とＵＥとの間のインタラクションにより、基地局が第２の周波数帯域でのダウンリンク伝送のスケジューリング情報をＵＥに送信する時間区間において、第１の周波数帯域でのアップリンク伝送のスケジューリング情報をＵＥに送信することを停止する効果を実現することができ、これにより、高調波干渉を回避することができる。
【０１０９】
図５は、本発明の一例示的な実施例に係る干渉協調方法のシグナリングフローチャートである。この実施例は、基地局とＵＥがインタラクションする角度から説明する。図５に示すように、当該干渉協調方法は、以下のステップを含む。
【０１１０】
ステップＳ５０１において、ＵＥは、基地局に自分の干渉許容能力情報を報告する。
【０１１１】
ステップＳ５０２において、基地局は、当該ＵＥの干渉許容能力情報を受信すると共に、当該ＵＥの干渉許容能力情報と当該ＵＥがアクセスしたネットワークの情報に基づいて、第１の周波数帯域でのＵＥのアップリンク伝送と第２の周波数帯域でのＵＥのダウンリンク伝送に高調波干渉が存在すると確定する。
【０１１２】
ステップＳ５０３において、基地局は、ＵＥに配置情報を送信し、当該配置情報は、ＵＥが干渉協調機能を開くように指示する。
【０１１３】
ステップＳ５０４において、ＵＥは、基地局から送信された配置情報を受信すると共に、当該配置情報に基づいて干渉協調機能を開く。
【０１１４】
ステップＳ５０５において、ＵＥは、基地局から送信された第１の周波数帯域でのダウンリンク伝送のスケジューリング情報を受信する時間区間において、第１の周波数帯域と第２の周波数帯域でのアップリンク伝送のスケジューリング要求を基地局に送信することを停止する。
【０１１５】
この実施例において、ＵＥが基地局から送信された第１の周波数帯域でのダウンリンク伝送のスケジューリング情報を受信する時間区間において、第１の周波数帯域と第２の周波数帯域でのアップリンク伝送のスケジューリング要求を基地局に送信することを停止することにより、基地局が第１の周波数帯域でのダウンリンク伝送のスケジューリング情報をＵＥに送信する時間区間において、ＵＥが第１の周波数帯域と第２の周波数帯域でのアップリンク伝送を同時に送信するためのスケジューリング情報をＵＥに送信することを停止する効果を実現することができ、これにより、相互変調干渉を回避することができる。
【０１１６】
上記の実施例において、基地局とＵＥとの間のインタラクションにより、基地局が第１の周波数帯域でのダウンリンク伝送のスケジューリング情報をＵＥに送信する時間区間において、ＵＥが第１の周波数帯域と第２の周波数帯域でのアップリンク伝送を同時に送信するためのスケジューリング情報をＵＥに送信することを停止する効果を実現することができ、これにより、相互変調干渉を回避することができる。
【０１１７】
図６は、一例示的な実施例に係る干渉協調装置のブロック図である。当該干渉協調装置は、基地局に位置することができ、図６に示すように、当該干渉協調装置は、判断モジュール６１と、第１の協調モジュール６２と第２の協調モジュール６３のうちのいずれか１つのモジュールを含む。
【０１１８】
判断モジュール６１は、２つの周波数帯域でのユーザーデバイスＵＥのアップリンク／ダウンリンク伝送に機器内干渉が存在するか否かを判断するように構成される。
【０１１９】
この実施例において、基地局は、ＵＥがアクセスしたネットワークの情報に基づいて２つの周波数帯域でのＵＥのアップリンク／ダウンリンク伝送に機器内干渉が存在するか否かを判断することができ、ここで、機器内干渉は、高調波干渉と相互変調干渉を含んでもよい。
【０１２０】
１つの周波数帯域の整数倍と他の１つの周波数帯域が少なくとも部分的に重なる場合、この２つの周波数帯域でのアップリンク／ダウンリンク伝送に高調波干渉が発生する可能性がある。
【０１２１】
相互変調干渉（ｉｎｔｅｒｍｏｄｕｌａｔｉｏｎ  ｉｎｔｅｒｆｅｒｅｎｃｅ、ＩＭ  ｉｎｔｅｒｆｅｒｅｎｃｅと略す）とは、２つまたは複数の干渉信号が受信機に同時に印加される場合、非線形的な作用により、その２つの干渉の組み合わせ周波数がたまに有用信号周波数にちょうど等しくなりまたは近くなって受信機をスムーズに通過して干渉を形成することをいう。
【０１２２】
第１の協調モジュール６２は、判断モジュール６１が２つの周波数帯域でのＵＥのアップリンク／ダウンリンク伝送に機器内干渉が存在することを確定すると、ＵＥが２つの周波数帯域のうちの少なくとも１つの周波数帯域でのアップリンク伝送を送信するようにスケジューリングする時間区間において、そのうちの１つの周波数帯域でのダウンリンク伝送のスケジューリング情報をＵＥに送信することを停止し、または、ブランクサブフレームまたはオールモーストブランクサブフレームをＵＥに送信するように構成される。
【０１２３】
この実施例において、基地局が２つの周波数帯域でのＵＥのアップリンク／ダウンリンク伝送に機器内干渉が存在する（例えば、高調波干渉や相互変調干渉が存在する）と確定すると、ＵＥが２つの周波数帯域のうちの少なくとも１つの周波数帯域でのアップリンク伝送を送信するようにスケジューリングする時間区間において、そのうちの１つの周波数帯域でのダウンリンク伝送のスケジューリング情報をＵＥに送信することを停止してもよい、または、ＵＥが２つの周波数帯域のうちの少なくとも１つの周波数帯域でのアップリンク伝送を送信するようにスケジューリングする時間区間において、ブランクサブフレームまたはオールモーストブランクサブフレームをＵＥに送信してもよい。
【０１２４】
ここで、ブランクサブフレーム（Ｂｌａｎｋ  Ｓｕｂｆｒａｍｅ）とは、何も情報が送信されないサブフレームである。オールモーストブランクサブフレーム（Ａｌｍｏｓｔ  Ｂｌａｎｋ  Ｓｕｂｆｒａｍｅ、ＡＢＳと略す）とは、制御情報と参考信号を含むが、データ情報を含まないタイプのサブフレームをいう。
【０１２５】
第２の協調モジュール６３は、判断モジュール６１が２つの周波数帯域でのＵＥのアップリンク／ダウンリンク伝送に機器内干渉が存在することを確定すると、そのうちの１つの周波数帯域でのダウンリンク伝送のスケジューリング情報をＵＥに送信する時間区間において、２つの周波数帯域のうちの少なくとも１つの周波数帯域でのアップリンク伝送のスケジューリング情報をＵＥに送信することを停止するように構成される。
【０１２６】
この実施例において、基地局が２つの周波数帯域でのＵＥのアップリンク／ダウンリンク伝送に機器内干渉が存在する（例えば、高調波干渉や相互変調干渉が存在する）と確定すると、そのうちの１つの周波数帯域でのダウンリンク伝送のスケジューリング情報をＵＥに送信する時間区間において、２つの周波数帯域のうちの少なくとも１つの周波数帯域でのアップリンク伝送のスケジューリング情報をＵＥに送信することを停止してもよい。
【０１２７】
上記の実施例において、２つの周波数帯域でのＵＥのアップリンク／ダウンリンク伝送に機器内干渉が存在することを確定した後、ＵＥが２つの周波数帯域のうちの少なくとも１つの周波数帯域でのアップリンク伝送を送信するようにスケジューリングする時間区間において、そのうちの１つの周波数帯域でのダウンリンク伝送のスケジューリング情報をＵＥに送信することを停止し、または、２つの周波数帯域のうちの少なくとも１つの周波数帯域でのアップリンク伝送の時間区間において、ブランクサブフレームまたはオールモーストブランクサブフレームをＵＥに送信し、または、そのうちの１つの周波数帯域でのダウンリンク伝送のスケジューリング情報をＵＥに送信する時間区間において、２つの周波数帯域のうちの少なくとも１つの周波数帯域でのアップリンク伝送のスケジューリング情報をＵＥに送信することを停止することによって、機器内のデータチャネルの干渉を回避する目的を実現することができる。
【０１２８】
図７Ａは、一例示的な実施例に係る他の干渉協調装置のブロック図である。図７Ａに示すように、上記の図６に示された実施例の上で、第１の協調モジュール６２は、第１の協調サブモジュール６２１を含んでもよい。
【０１２９】
第１の協調サブモジュール６２１は、第１の周波数帯域でのＵＥのアップリンク伝送と第２の周波数帯域でのＵＥのダウンリンク伝送に高調波干渉が存在すると確定されると、ＵＥが第１の周波数帯域でのアップリンク伝送を送信するようにスケジューリングする時間区間において、第２の周波数帯域でのダウンリンク伝送のスケジューリング情報をＵＥに送信することを停止するように構成される。
【０１３０】
第１の周波数帯域がＬＴＥの周波数帯域であり、第２の周波数帯域がＮＲの周波数帯域であると仮定し、例えば、図２Ｂに示すように、ＬＴＥの周波数帯域でのＵＥのアップリンク伝送（ＵＬ）２１とＮＲの周波数帯域でのＵＥのダウンリンク伝送（ＤＬ）２２に高調波干渉が存在する。図２Ｃに示すように、同時にＬＴＥの周波数帯域でのＵＥのアップリンク伝送２４及びＮＲの周波数帯域でのＵＥのアップリンク伝送２５とＬＴＥの周波数帯域でのＵＥのダウンリンク伝送２６に相互変調干渉が存在する。
【０１３１】
この実施例において、基地局は、第１の周波数帯域でのＵＥのアップリンク伝送と第２の周波数帯域でのＵＥのダウンリンク伝送に高調波干渉が存在することを確定した後、ＵＥが第１の周波数帯域でのアップリンク伝送を送信するようにスケジューリングする時間区間において、第２の周波数帯域でのダウンリンク伝送のスケジューリング情報をＵＥに送信することを停止し、または、ＵＥが第１の周波数帯域でのアップリンク伝送を送信するようにスケジューリングする時間区間において、ブランクサブフレームまたはオールモーストブランクサブフレームをＵＥに送信してもよい。
【０１３２】
図２Ｂを例として説明する。基地局は、ＬＴＥの周波数帯域でのＵＥのアップリンク伝送とＮＲの周波数帯域でのＵＥのダウンリンク伝送に高調波干渉が存在することを確定した後、ＵＥがＬＴＥの周波数帯域でのアップリンク伝送を送信するようにスケジューリングする時間区間において、ＮＲの周波数帯域でのダウンリンク伝送のスケジューリング情報をＵＥに送信することを停止し、または、ＵＥがＬＴＥの周波数帯域でのアップリンク伝送を送信するようにスケジューリングする時間区間において、ブランクサブフレームまたはオールモーストブランクサブフレームをＵＥに送信することにより、高調波干渉を回避することができる。
【０１３３】
第２の協調モジュール６３は、第２の協調サブモジュール６３１を含んでもよい。
【０１３４】
第２の協調サブモジュール６３１は、第２の周波数帯域でのダウンリンク伝送のスケジューリング情報をＵＥに送信する時間区間において、第１の周波数帯域でのアップリンク伝送のスケジューリング情報をＵＥに送信することを停止するように構成される。
【０１３５】
ここで、第１の周波数帯域は、ＬＴＥの周波数帯域に属してもよい、第２の周波数帯域は、ＮＲの周波数帯域に属してもよい。また、第１の周波数帯域と第２の周波数帯域は、ＮＲのうちの２つの周波数帯域に属してもよい。
【０１３６】
この実施例において、基地局は、第１の周波数帯域でのＵＥのアップリンク伝送と第２の周波数帯域でのＵＥのダウンリンク伝送に高調波干渉が存在することを確定した後、第２の周波数帯域でのダウンリンク伝送のスケジューリング情報をＵＥに送信する時間区間において、第１の周波数帯域でのアップリンク伝送のスケジューリング情報をＵＥに送信することを停止してもよい。
【０１３７】
図２Ｂを例として説明する。基地局は、ＬＴＥの周波数帯域でのＵＥのアップリンク伝送とＮＲの周波数帯域でのＵＥのダウンリンク伝送に高調波干渉が存在することを確定した後、ＮＲの周波数帯域でのダウンリンク伝送のスケジューリング情報をＵＥに送信する時間区間において、ＬＴＥの周波数帯域でのアップリンク伝送のスケジューリング情報をＵＥに送信することを停止してもよい、これにより、高調波干渉を回避することができる。
【０１３８】
上記の実施例において、第１の周波数帯域でのＵＥのアップリンク伝送と第２の周波数帯域でのＵＥのダウンリンク伝送に高調波干渉が存在することを確定した後、ＵＥが第１の周波数帯域でのアップリンク伝送を送信するようにスケジューリングする時間区間において、第２の周波数帯域でのダウンリンク伝送のスケジューリング情報をＵＥに送信することを停止し、または、ＵＥが第１の周波数帯域でのアップリンク伝送を送信するようにスケジューリングする時間区間において、ブランクサブフレームまたはオールモーストブランクサブフレームをＵＥに送信し、または、第２の周波数帯域でのダウンリンク伝送のスケジューリング情報をＵＥに送信する時間区間において、第１の周波数帯域でのアップリンク伝送のスケジューリング情報をＵＥに送信することを停止してもよい、これにより、アップリンク／ダウンリンク伝送の協調スケジューリングを利用して高調波干渉を回避する目的を実現することができる。
【０１３９】
図７Ｂは、一例示的な実施例に係る他の干渉協調装置のブロック図である。図７Ｂに示すように、上記の図６に示された実施例の上で、第１の協調モジュール６２は、第３の協調サブモジュール６２２を含んでもよい。
【０１４０】
第３の協調サブモジュール６２２は、同時に第１の周波数帯域と第２の周波数帯域でのＵＥのアップリンク伝送と第１の周波数帯域でのＵＥのダウンリンク伝送に相互変調干渉が存在すると確定されると、ＵＥが第１の周波数帯域と第２の周波数帯域でのアップリンク伝送を同時に送信するようにスケジューリングする時間区間において、第１の周波数帯域でのダウンリンク伝送のスケジューリング情報をＵＥに送信することを停止するように構成される。
【０１４１】
この実施例において、基地局は、同時に第１の周波数帯域と第２の周波数帯域でのＵＥのアップリンク伝送と第１の周波数帯域でのＵＥのダウンリンク伝送に相互変調干渉が存在することを確定した後、ＵＥが第１の周波数帯域と第２の周波数帯域でのアップリンク伝送を同時に送信するようにスケジューリングする時間区間において、第１の周波数帯域でのダウンリンク伝送のスケジューリング情報をＵＥに送信することを停止し、または、ブランクサブフレームまたはオールモーストブランクサブフレームをＵＥに送信することにより、相互変調干渉を回避することができる。
【０１４２】
図２Ｃを例として説明する。基地局は、同時にＬＴＥの周波数帯域とＮＲの周波数帯域でのＵＥのアップリンク伝送とＬＴＥの周波数帯域でのＵＥのダウンリンク伝送に相互変調干渉が存在することを確定した後、ＵＥがＬＴＥの周波数帯域とＮＲの周波数帯域でのアップリンク伝送を同時に送信するようにスケジューリングする時間区間において、ＬＴＥの周波数帯域でのダウンリンク伝送のスケジューリング情報をＵＥに送信することを停止し、または、ＵＥがＬＴＥの周波数帯域とＮＲの周波数帯域でのアップリンク伝送を同時に送信するようにスケジューリングする時間区間において、ブランクサブフレームまたはオールモーストブランクサブフレームをＵＥに送信することにより、相互変調干渉を回避することができる。
【０１４３】
第２の協調モジュール６３は、第４の協調サブモジュール６３２を含んでもよい。
【０１４４】
第４の協調サブモジュール６３２は、第１の周波数帯域でのダウンリンク伝送のスケジューリング情報をＵＥに送信する時間区間において、ＵＥが第１の周波数帯域と第２の周波数帯域でのアップリンク伝送を同時に送信するためのスケジューリング情報をＵＥに送信することを停止するように構成される。
【０１４５】
この実施例において、基地局は、同時に第１の周波数帯域と第２の周波数帯域でのＵＥのアップリンク伝送と第１の周波数帯域でのＵＥのダウンリンク伝送に相互変調干渉が存在することを確定した後、第１の周波数帯域でのダウンリンク伝送のスケジューリング情報をＵＥに送信する時間区間において、ＵＥが第１の周波数帯域と第２の周波数帯域でのアップリンク伝送を同時に送信するためのスケジューリング情報をＵＥに送信することを停止してもよい、これにより、相互変調干渉を回避することができる。
【０１４６】
図２Ｃを例として説明する。基地局は、同時にＬＴＥの周波数帯域とＮＲの周波数帯域でのＵＥのアップリンク伝送とＬＴＥの周波数帯域でのＵＥのダウンリンク伝送に相互変調干渉が存在することを確定した後、ＬＴＥの周波数帯域でのダウンリンク伝送のスケジューリング情報をＵＥに送信する時間区間において、ＵＥがＬＴＥの周波数帯域とＮＲの周波数帯域でのアップリンク伝送を同時に送信するためのスケジューリング情報をＵＥに送信することを停止してもよい、これにより、相互変調干渉を回避することができる。
【０１４７】
上記の実施例において、同時に第１の周波数帯域と第２の周波数帯域でのＵＥのアップリンク伝送と第１の周波数帯域でのＵＥのダウンリンク伝送に相互変調干渉が存在することを確定した後、ＵＥが第１の周波数帯域と第２の周波数帯域でのアップリンク伝送を同時に送信するようにスケジューリングする時間区間において、第１の周波数帯域でのダウンリンク伝送のスケジューリング情報をＵＥに送信することを停止し、または、ＵＥが第１の周波数帯域と第２の周波数帯域でのアップリンク伝送を同時に送信するようにスケジューリングする時間区間において、ブランクサブフレームまたはオールモーストブランクサブフレームをＵＥに送信し、または、第１の周波数帯域でのダウンリンク伝送のスケジューリング情報をＵＥに送信する時間区間において、ＵＥが第１の周波数帯域と第２の周波数帯域でのアップリンク伝送を同時に送信するためのスケジューリング情報をＵＥに送信することを停止することにより、アップリンク／ダウンリンク伝送の協調スケジューリングを利用して相互変調干渉を回避する目的を実現することができる。
【０１４８】
図８Ａは、一例示的な実施例に係る他の干渉協調装置のブロック図である。図８Ａに示すように、上記の図６に示された実施例の上で、当該装置は、受信モジュール６４をさらに含んでもよい。
【０１４９】
受信モジュール６４は、判断モジュール６１が２つの周波数帯域でのＵＥのアップリンク／ダウンリンク伝送に機器内干渉が存在するか否かを判断する前に、ＵＥが報告した干渉許容能力情報を受信するように構成される。
【０１５０】
判断モジュール６１は、受信モジュール６４が受信した干渉許容能力情報とＵＥがアクセスしたネットワークの情報に基づいて、２つの周波数帯域でのＵＥのアップリンク／ダウンリンク伝送に機器内干渉が存在するか否かを判断するように構成される。
【０１５１】
この実施例において、基地局は、ＵＥがアクセスしたネットワークの情報に基づいて、２つの周波数帯域でのＵＥのアップリンク／ダウンリンク伝送に高調波干渉または相互変調干渉が存在するか否かを判断してもよい。判断の正確率を向上させるために、ＵＥが報告した干渉許容能力情報を先に受信した後、当該干渉許容能力情報とＵＥがアクセスしたネットワークの情報に基づいて、２つの周波数帯域でのＵＥのアップリンク伝送とダウンリンク伝送に高調波干渉または相互変調干渉が存在するか否かを判断してもよい。
【０１５２】
ここで、第１の周波数帯域は、ＬＴＥの周波数帯域に属してもよい、第２の周波数帯域は、ＮＲの周波数帯域に属してもよい。また、第１の周波数帯域と第２の周波数帯域は、ＮＲのうちの２つの周波数帯域に属してもよい。
【０１５３】
第１の周波数帯域がＬＴＥの周波数帯域であり、第２の周波数帯域がＮＲの周波数帯域であると仮定し、例えば、図２Ｂに示すように、ＬＴＥの周波数帯域でのＵＥのアップリンク伝送（ＵＬ）２１とＮＲの周波数帯域でのＵＥのダウンリンク伝送（ＤＬ）２２に高調波干渉が存在する。図２Ｃに示すように、ＬＴＥの周波数帯域でのＵＥのアップリンク伝送２４及びＮＲの周波数帯域でのＵＥのアップリンク伝送２５とＬＴＥの周波数帯域でのＵＥのダウンリンク伝送２６に同時に相互変調干渉が存在する。
【０１５４】
上記の実施例において、ＵＥが報告した干渉許容能力情報を受信し、当該干渉許容能力情報とＵＥがアクセスしたネットワークの情報に基づいて、２つの周波数帯域でのＵＥのアップリンク／ダウンリンク伝送に高調波干渉や相互変調干渉が存在するか否かを判断してもよい、これにより、干渉を判断する正確率を向上させることができる。
【０１５５】
図８Ｂは、一例示的な実施例に係る他の干渉協調装置のブロック図である。図８Ｂに示すように、上記の図７Ａに示された実施例の上で、当該装置は、送信モジュール６５をさらに含んでもよい。図８Ｃは、一例示的な実施例に係る他の干渉協調装置のブロック図である。図８Ｃに示すように、上記の図７Ｂに示された実施例の上で、当該装置は、送信モジュール６５をさらに含んでもよい。
【０１５６】
送信モジュール６５は、第１の協調サブモジュール６２１が第１の周波数帯域でのＵＥのアップリンク伝送と第２の周波数帯域でのＵＥのダウンリンク伝送に高調波干渉が存在することを確定し、または、第３の協調サブモジュール６２２が第１の周波数帯域と第２の周波数帯域でのＵＥのアップリンク伝送と第１の周波数帯域でのＵＥのダウンリンク伝送に同時に相互変調干渉が存在することを確定した後、ＵＥに配置情報を送信するように構成され、当該配置情報は、ＵＥが干渉協調機能を開くように指示する。
【０１５７】
一実施例において、第２の協調サブモジュール６３１は、ＵＥから送信された第１の周波数帯域でのアップリンク伝送のスケジューリング要求を受信して、第２の周波数帯域でのダウンリンク伝送のスケジューリング情報をＵＥに送信した後、第１の周波数帯域でのアップリンク伝送のスケジューリング情報をＵＥに送信するように構成されてもよい。
【０１５８】
この実施例において、基地局がＵＥから送信された第１の周波数帯域でのアップリンク伝送のスケジューリング要求を受信した場合、第２の周波数帯域でのダウンリンク伝送のスケジューリング情報をＵＥに送信した後、第１の周波数帯域でのアップリンク伝送のスケジューリング情報をＵＥに送信してもよい、これにより、基地局が第２の周波数帯域でのダウンリンク伝送のスケジューリング情報をＵＥに送信する時間区間において、第１の周波数帯域でのアップリンク伝送のスケジューリング情報をＵＥに送信することを停止する効果を実現することができる。
【０１５９】
他の一実施例において、第４の協調サブモジュール６３２は、ＵＥから送信された第１の周波数帯域と第２の周波数帯域でのアップリンク伝送のスケジューリング要求を受信して、第１の周波数帯域でのダウンリンク伝送のスケジューリング情報をＵＥに送信した後、第１の周波数帯域と第２の周波数帯域でのアップリンク伝送のスケジューリング情報をＵＥに送信するように構成される。
【０１６０】
この実施例において、ＵＥから送信された第１の周波数帯域と第２の周波数帯域でのＵＥのアップリンク伝送のスケジューリング要求を受信する場合、第１の周波数帯域でのダウンリンク伝送のスケジューリング情報をＵＥに送信した後、第１の周波数帯域と第２の周波数帯域でのアップリンク伝送のスケジューリング情報をＵＥに送信することにより、第１の周波数帯域でのダウンリンク伝送のスケジューリング情報をＵＥに送信する時間区間において、ＵＥが第１の周波数帯域と第２の周波数帯域でのアップリンク伝送を同時に送信するためのスケジューリング情報をＵＥに送信することを停止する効果を実現することができる。
【０１６１】
上記の実施例において、第２の周波数帯域でのダウンリンク伝送のスケジューリング情報をＵＥに送信した後、第１の周波数帯域でのアップリンク伝送のスケジューリング情報をＵＥに送信することにより、基地局が第２の周波数帯域でのダウンリンク伝送のスケジューリング情報をＵＥに送信する時間区間において、第１の周波数帯域でのアップリンク伝送のスケジューリング情報をＵＥに送信することを停止する効果を実現することができ、これにより、高調波干渉を回避することができる。一方、第１の周波数帯域でのダウンリンク伝送のスケジューリング情報をＵＥに送信した後、第１の周波数帯域と第２の周波数帯域でのアップリンク伝送のスケジューリング情報をＵＥに送信することにより、第１の周波数帯域でのダウンリンク伝送のスケジューリング情報をＵＥに送信する時間区間において、ＵＥが第１の周波数帯域と第２の周波数帯域でのアップリンク伝送を同時に送信するためのスケジューリング情報をＵＥに送信することを停止する効果を実現することができ、これにより、高調波干渉を回避することができる。
【０１６２】
図９は、一例示的な実施例に係るまた他の干渉協調装置のブロック図である。当該干渉協調装置は、ＵＥに位置することができ、図９に示すように、当該干渉協調装置は、受信モジュール９１と開きモジュール９２を含む。
【０１６３】
受信モジュール９１は、基地局から送信された配置情報を受信するように構成され、当該配置情報は、第１の周波数帯域でのＵＥのアップリンク伝送と第２の周波数帯域でのＵＥのダウンリンク伝送に高調波干渉が存在し、または、同時に第１の周波数帯域と第２の周波数帯域でのＵＥのアップリンク伝送と第１の周波数帯域でのＵＥのダウンリンク伝送に相互変調干渉が存在すると確定した後、基地局から送信される。
【０１６４】
開きモジュール９２は、受信モジュール９１が受信した配置情報に基づいて干渉協調機能を開くように構成される。
【０１６５】
この実施例において、基地局は、第１の周波数帯域でのＵＥのアップリンク伝送と第２の周波数帯域でのＵＥのダウンリンク伝送に高調波干渉が存在し、または、同時に第１の周波数帯域と第２の周波数帯域でのＵＥのアップリンク伝送と第１の周波数帯域でのＵＥのダウンリンク伝送に相互変調干渉が存在することを確定した後、ＵＥに配置情報を送信してもよい。
【０１６６】
ここで、当該配置情報は、基地局から送信された放送シグナリング、上位層シグナリングまたは物理層制御シグナリングに含まれることができる。
【０１６７】
上記の実施例において、基地局から送信された配置情報を受信し、当該配置情報に基づいて干渉協調機能を開くことにより、その後の対応する時間区間においてスケジューリング要求の送信を停止することに条件を提供することができる。
【０１６８】
図１０Ａは、一例示的な実施例に係るまた他の干渉協調装置のブロック図である。図１０Ａに示すように、上記の図９に示された実施例の上で、当該装置は、第１の協調モジュール９３をさらに含んでもよい。
【０１６９】
第１の協調モジュール９３は、開きモジュール９２が配置情報に基づいて干渉協調機能を開いた後、基地局から送信された第２の周波数帯域でのダウンリンク伝送のスケジューリング情報を受信する時間区間において、第１の周波数帯域でのアップリンク伝送のスケジューリング要求を基地局に送信することを停止するように構成される。
【０１７０】
上記の実施例において、基地局から送信された第２の周波数帯域でのダウンリンク伝送のスケジューリング情報を受信する時間区間において、第１の周波数帯域でのアップリンク伝送のスケジューリング要求を基地局に送信することを停止することにより、基地局が第２の周波数帯域でのダウンリンク伝送のスケジューリング情報をＵＥに送信する時間区間において、第１の周波数帯域でのアップリンク伝送のスケジューリング情報をＵＥに送信することを停止する効果を実現することができ、これにより、高調波干渉を回避することができる。
【０１７１】
図１０Ｂは、一例示的な実施例に係るまた他の干渉協調装置のブロック図である。図１０Ｂに示すように、上記の図９に示された実施例の上で、当該装置は、第２の協調モジュール９４をさらに含んでもよい。
【０１７２】
第２の協調モジュール９４は、開きモジュール９２が配置情報に基づいて干渉協調機能を開いた後、基地局から送信された第１の周波数帯域でのダウンリンク伝送のスケジューリング情報を受信する時間区間において、第１の周波数帯域と第２の周波数帯域でのアップリンク伝送のスケジューリング要求を基地局に送信することを停止するように構成される。
【０１７３】
上記の実施例において、基地局から送信された第１の周波数帯域でのダウンリンク伝送のスケジューリング情報を受信する時間区間において、第１の周波数帯域と第２の周波数帯域でのアップリンク伝送のスケジューリング要求を基地局に送信することを停止することにより、基地局が第１の周波数帯域でのダウンリンク伝送のスケジューリング情報をＵＥに送信する時間区間において、ＵＥが第１の周波数帯域と第２の周波数帯域でのアップリンク伝送を同時に送信するためのスケジューリング情報をＵＥに送信することを停止する効果を実現することができ、これにより、相互変調干渉を回避することができる。
【０１７４】
図１０Ｃは、一例示的な実施例に係るまた他の干渉協調装置のブロック図である。図１０Ｃに示すように、上記の図９に示された実施例の上で、当該装置は、報告モジュール９５をさらに含んでもよい。
【０１７５】
報告モジュール９５は、受信モジュール９１が基地局から送信された配置情報を受信する前、ＵＥの干渉許容能力情報を基地局に報告するように構成されて、基地局が干渉許容能力情報とＵＥがアクセスしたネットワークの情報に基づいて高調波干渉や相互変調干渉が存在するか否かを判断するようにする。
【０１７６】
上記の実施例において、基地局に自分の干渉許容能力情報を報告し、基地局が当該干渉許容能力情報とＵＥがアクセスしたネットワークの情報に基づいて、２つの周波数帯域でのＵＥのアップリンク／ダウンリンク伝送に機器内干渉（例えば、高調波干渉や相互変調干渉）が存在するか否かを判断することにより、干渉を判断する正確率を向上させることができる。
【０１７７】
図１１は、一例示的な実施例に係る他の干渉協調装置に適用されるブロック図である。装置１１００は、１つの基地局として提供することができ、図１１を参照すると、装置１１００は、処理ユニット１１２２、無線送受信ユニット１１２４、アンテナユニット１１２６及び無線インターフェース特有の信号処理部分を含み、処理ユニット１１２２は、１つまたは複数のプロセッサーをさらに含んでもよい。
【０１７８】
処理ユニット１１２２のうちの１つのプロセッサーは、
２つの周波数帯域でのユーザーデバイスＵＥのアップリンク／ダウンリンク伝送に機器内干渉が存在するか否かを判断し、
２つの周波数帯域でのＵＥのアップリンク／ダウンリンク伝送に機器内干渉が存在すると確定されると、ＵＥが２つの周波数帯域のうちの少なくとも１つの周波数帯域でのアップリンク伝送を送信するようにスケジューリングする時間区間において、そのうちの１つの周波数帯域でのダウンリンク伝送のスケジューリング情報をＵＥに送信することを停止し、または、ブランクサブフレームまたはオールモーストブランクサブフレームをＵＥに送信し、または、
そのうちの１つの周波数帯域でのダウンリンク伝送のスケジューリング情報をＵＥに送信する時間区間において、２つの周波数帯域のうちの少なくとも１つの周波数帯域でのアップリンク伝送のスケジューリング情報をＵＥに送信することを停止するように構成されてもよい。
【０１７９】
図１２は、一例示的な実施例に係る他の干渉協調装置に適用されるブロック図である。例えば、装置（１２００）は、コンピュータ、携帯電話、デジタルブロードキャスト端末、メッセージ送受信機、ゲーム機、タブレットデバイス、医療機器、フィットネス機器、ＰＤＡ等のものであってもよい。
【０１８０】
図１２を参照すると、装置１２００は、処理ユニット１２０２、メモリ１２０４、電源ユニット１２０６、マルチメディアユニット１２０８、オーディオユニット１２１０、入力／出力（Ｉ／Ｏ）インターフェース１２１２、センサーユニット１２１４、及び通信ユニット１２１６からなる群から選ばれる少なくとも１つを備えてもよい。
【０１８１】
処理ユニット１２０２は、一般的には、装置１２００の全体の操作、例えば、表示、電話呼び出し、データ通信、カメラ操作及び記録操作に関連する操作を制御する。処理ユニット１２０２は、上述した方法におけるステップの一部又は全部を実現できるように、命令を実行する少なくとも１つのプロセッサー１２２０を備えてもよい。また、処理ユニット１２０２は、他のユニットとのインタラクションを便利にさせるように、少なくとも１つのモジュールを備えてもよい。例えば、処理ユニット１２０２は、マルチメディアユニット１２０８とのインタラクションを便利にさせるように、マルチメディアモジュールを備えてもよい。
【０１８２】
メモリ１２０４は、装置１２００での操作をサポートするように、各種のデータを記憶するように配置される。これらのデータは、例えば、装置１２００で何れのアプリケーション又は方法を操作するための命令、連絡先データ、電話帳データ、メッセージ、画像、ビデオ等を含む。メモリ１２０４は、何れの種類の揮発性又は不揮発性メモリ、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクにより、或いはそれらの組み合わせにより実現することができる。
【０１８３】
電源ユニット１２０６は、装置１２００の各種ユニットに電力を供給するためのものであり、電源管理システム、１つ又は複数の電源、及び装置１２００のために電力を生成、管理及び分配することに関連する他のユニットを備えてもよい。
【０１８４】
マルチメディアユニット１２０８は、装置１２００とユーザーとの間に出力インターフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザーからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット１２０８は、フロントカメラ及び／又はバックカメラを有してもよい。装置１２００が、例えば、撮影モードやビデオモードのような操作モードにある時、フロントカメラ及び／又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【０１８５】
オーディオユニット１２１０は、オーディオ信号を出力及び／又は入力するように配置される。例えば、オーディオユニット１２１０は、マイクロフォン（ＭｉＣ）を有してもよい。装置１２００が、例えば、呼び出しモード、記録モード、又は音声認識モードのような操作モードにあるとき、マイクロフォンは、外部のオーディオ信号を受信するように配置される。受信したオーディオ信号は、メモリ１２０４にさらに記憶されてもよいし、通信ユニット１２１６を介して送信されてもよい。一実施例では、オーディオユニット１２１０は、オーディオ信号を出力するためのスピーカをさらに備えてもよい。
【０１８６】
Ｉ／Ｏインターフェース１２１２は、処理ユニット１２０２と外部のインタフェースモジュールとの間にインターフェースを提供するためのものである。上記外部のインタフェースモジュールは、キーボードや、クリックホイールや、ボタン等であってもよい。これらのボタンは、ホームボタンや、音量ボタンや、スタートボタンや、ロックボタンであってもよいが、それらに限らない。
【０１８７】
センサーユニット１２１４は、装置１２００のために各方面の状態を評価する少なくとも１つのセンサーを備えてもよい。例えば、センサーユニット１２１４は、装置１２００のオン／オフ状態や、ユニットの相対的な位置を検出することができる。例えば、前記ユニットは、装置１２００のディスプレイ及びキーパッドである。センサーユニット１２１４は、装置１２００又は装置１２００の１つのユニットの位置の変化や、ユーザが装置１２００に接触しているか否かや、装置１２００の方向又は加速／減速や、装置１２００の温度変化を検出することができる。センサーユニット１２１４は、何れの物理的な接触もない場合に付近の物体を検出するように配置される近接センサーを有してもよい。センサーユニット１２１４は、イメージングアプリケーションに用いるための光センサー、例えば、ＣＭＯＳ又はＣＣＤ画像センサーを有してもよい。一実施例では、当該センサーユニット１２１４は、加速度センサー、ジャイロスコープセンサー、磁気センサー、圧力センサー又は温度センサーをさらに備えてもよい。
【０１８８】
通信ユニット１２１６は、装置１２００と他の設備の間との無線又は有線通信を便利にさせるように配置される。装置１２００は、通信標準に基づく無線ネットワーク、例えば、ＷｉＦｉ、２Ｇ又は３Ｇ、又はそれらの組み合わせにアクセスできる。１つの例示的な実施例では、通信ユニット１２１６は、ブロードキャストチャンネルを介して外部のブロードキャスト管理システムからのブロードキャスト信号又はブロードキャストに関する情報を受信する。１つの例示的な実施例では、前記通信ユニット１２１６は、近距離通信を促進するために近距離無線通信（ＮＦＣ）モジュールをさらに備えてもよい。例えば、ＮＦＣモジュールは、無線周波数認識装置（ＲＦＩＤ：Ｒａｄｉｏ  Ｆｒｅｑｕｅｎｃｙ  ＩＤｅｎｔｉｆｉｃａｔｉｏｎ）技術、赤外線データ協会（ＩｒＤＡ：Ｉｎｆｒａｒｅｄ  Ｄａｔａ  Ａｓｓｏｃｉａｔｉｏｎ）技術、超広帯域無線（ＵＷＢ：Ｕｌｔｒａ  Ｗｉｄｅ  Ｂａｎｄ）技術、ブルートゥース（登録商標）（ＢＴ：Ｂｌｕｅｔｏｏｔｈ（登録商標））技術及び他の技術によって実現されてもよい。
【０１８９】
例示的な実施例では、装置１２００は、上述した方法を実行するために、１つ又は複数の特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、デジタル信号プロセッサー（ＤＳＰ：Ｄｉｇｉｔａｌ  Ｓｉｇｎａｌ  Ｐｒｏｃｅｓｓｏｒ）、数字信号処理デバイス（ＤＳＰＤ：Ｄｉｇｉｔａｌ  Ｓｉｇｎａｌ  Ｐｒｏｃｅｓｓｉｎｇ  Ｄｅｖｉｃｅ）、プログラム可能論理デバイス（ＰＬＤ：Ｐｒｏｇｒａｍｍａｂｌｅ  Ｌｏｇｉｃ  Ｄｅｖｉｃｅ）、書替え可能ゲートアレイ（ＦＰＧＡ：Ｆｉｅｌｄ−Ｐｒｏｇｒａｍｍａｂｌｅ  Ｇａｔｅ  Ａｒｒａｙ）、コントローラ、マイクロコントローラ、マイクロプロセッサー、又は他の電子機器によって実現されてもよい。
【０１９０】
例示的な実施例では、命令を有する非一時的コンピュータ読み取り可能な記録媒体、例えば、命令を有するメモリ１２０４をさらに提供する。前記命令は、装置１２００のプロセッサー１２２０により実行されて上述した方法を実現する。例えば、前記非一時的コンピュータ読み取り可能な記録媒体は、ＲＯＭ、ＲＡＭ、ＣＤ−ＲＯＭ、磁気テープ、フロッピー（登録商標）ディスク及び光データメモリ等であってもよい。
【０１９１】
装置の実施例において、当該実施例は、基本的に方法の実施例と対応するため、関連する内容は、方法の実施例の部分の説明を参照すればよい。以上に説明した装置の実施例は、単に例示的なものであり、ここで、分離部品として説明したユニットは、物理的に分離されてもよい、物理的に分離されないでもよい、ユニットに表示された部品は、物理的なユニットであってもよい、物理的なユニットではなくてもよい。即ち、１つの箇所に位置してもよい、または、複数のネットワークユニットに分布されてもよい、実際の必要に応じて、その中の一部または全部のモジュールを選択して、本発明の実施例の目的を達成することができ、当業者は、創造的な労働をしていない場合、これを理解して実施することができる。
【０１９２】
なお、本発明において、第１の、第２のなどの関係的な用語は、１つの実体または操作を他の１つの実体または操作と区別するだけで使用されるものであり、これらの実体または操作の間に任意の実際的な関係または順序が存在することを要求したり暗示するものではない。「含む」という用語またはその任意の他の変形的な用語は、非排他的な包含の場合を含めて、一連の要素を含むプロセス、方法、物品、または装置がこれらの要素を含むだけでなく、明確に列挙されていない他の要素も含まれていたり、このようなプロセスは、方法、物品、または装置に固有する要素をさらに含むことができる。特に制限しない場合、「１つの．．．を含む」という用語により限定する要素は、上記の要素を含むプロセス、方法、物品または装置において他の同じ要素があることを排除するものではない。
【０１９３】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【０１９４】
本発明は、上記で記述され、図面で図示した特定の構成に限定されず、その範囲を離脱しない状況で、様々な修正や変更を実施してもよい。本発明の範囲は、添付される特許請求の範囲のみにより限定される。
【図１】
0006806926.tif 000002
【図２Ａ】
0006806926.tif 000003
【図２Ｂ】
0006806926.tif 000004
【図２Ｃ】
0006806926.tif 000005
【図３】
0006806926.tif 000006
【図４】
0006806926.tif 000007
【図５】
0006806926.tif 000008
【図６】
0006806926.tif 000009
【図７Ａ】
0006806926.tif 000010
【図７Ｂ】
0006806926.tif 000011
【図８Ａ】
0006806926.tif 000012
【図８Ｂ】
0006806926.tif 000013
【図８Ｃ】
0006806926.tif 000014
【図９】
0006806926.tif 000015
【図１０Ａ】
0006806926.tif 000016
【図１０Ｂ】
0006806926.tif 000017
【図１０Ｃ】
0006806926.tif 000018
【図１１】
0006806926.tif 000019
【図１２】
0006806926.tif 000020